(57)【要約】デジタル放送受信装置（１００）は、第１の放送受信系統（１１０）と、第２の放送受信系統（１２０）と、音声類似度検出処理部（１３１）と、サービスリスト格納部（１３２）と、第１の放送受信系統（１１０）によって選局されているチャンネルの受信状況を示す値が低くなったときに、通知信号（Ｇ１）を第１の放送受信系統（１１０）に送る受信監視部（１３３）とを有し、第１の放送受信系統（１１０）は、通知信号（Ｇ１）を受け取ったときに、サービスリスト格納部（１３２）に格納されているサービスリストの音声類似度を示す値を参照することによって、第１の放送受信系統（１１０）が選局しているチャンネルの番組と最も類似している番組を同一番組と判定し、チャンネルを、同一番組と判定されたチャンネルに切換える。
2015056507.tif 000002
【特許請求の範囲】
【請求項１】
第１の一時記憶部を備え、放送波のチャンネルを選局し、該選局されたチャンネルの第１の符号化ストリームから第１の音声スペクトル情報を抽出し、該抽出された第１の音声スペクトル情報を前記第１の一時記憶部に格納する第１の放送受信系統と、
第２の一時記憶部を備え、放送波のチャンネルを順次選局し、該選局されたチャンネルの第２の符号化ストリームから第２の音声スペクトル情報を順次抽出し、該抽出された第２の音声スペクトル情報を前記第２の一時記憶部に順次格納する第２の放送受信系統と、
前記第１の一時記憶部に格納された前記第１の音声スペクトル情報と前記第２の一時記憶部に順次格納された前記第２の音声スペクトル情報とから、前記第１の音声スペクトル情報を含む第１の番組と前記第２の音声スペクトル情報を含む第２の番組との音声類似度を示す値を順次生成する音声類似度検出処理部と、
前記第２の放送受信系統によって抽出された付属情報と前記音声類似度検出処理部によって順次生成された前記音声類似度を示す値とを互いに対応させた情報を含むサービスリストを格納するサービスリスト格納部と、
前記第１の放送受信系統によって選局されているチャンネルの放送波の受信状況を示す値が予め設定された基準値より低くなったときに、受信状況の悪化を示す通知信号を前記第１の放送受信系統に送る受信監視部と
を有し、
前記第１の放送受信系統は、前記受信監視部から前記通知信号を受け取ったときに、前記サービスリスト格納部に格納されている前記サービスリストの前記音声類似度を示す値を参照することによって、前記第１の放送受信系統が選局しているチャンネルの番組と最も類似している番組を同一番組と判定し、選局しているチャンネルを、前記同一番組と判定されたチャンネルに切換える
ことを特徴とするデジタル放送受信装置。
【請求項２】
前記第１の放送受信系統は、
放送波のチャンネルの選局及び復調を行うことによって第１の復調信号を生成する第１のチューナ復調部と、
前記第１のチューナ復調部による選局を制御する第１の選局制御部と、
前記第１のチューナ復調部によって生成された前記第１の復調信号から前記第１の符号化ストリームを抽出する第１のデマルチプレクス部と、
前記第１のデマルチプレクス部によって抽出された前記第１の符号化ストリームをデコードするデコード部と、
前記第１のデマルチプレクス部によって抽出された前記第１の符号化ストリームから前記第１の音声スペクトル情報を抽出する第１の抽出部と、
前記第１の抽出部によって抽出された前記第１の音声スペクトル情報を一時的に格納する前記第１の一時記憶部と
を含み、
前記第２の放送受信系統は、
放送波のチャンネルの選局及び復調を行うことによって第２の復調信号を生成する第２のチューナ復調部と、
前記第２のチューナ復調部が順次チャンネルを切換えるように選局を制御する第２の選局制御部と、
前記第２のチューナ復調部によって順次生成された前記第２の復調信号から前記第２の符号化ストリーム及び放送番組に関する前記付属情報を順次抽出する第２のデマルチプレクス部と、
前記第２のデマルチプレクス部によって順次抽出された前記第２の符号化ストリームから前記第２の音声スペクトル情報を順次抽出する第２の抽出部と、
前記第２の抽出部によって順次抽出された前記第２の音声スペクトル情報を一時的に順次格納する前記第２の一時記憶部と
を含む
ことを特徴とする請求項１に記載のデジタル放送受信装置。
【請求項３】
前記第１の一時記憶部に格納される前記第１の音声スペクトル情報と前記第２の一時記憶部に格納される前記第２の音声スペクトル情報とは、互いに同じ周波数についての音声スペクトル情報を含み、
前記音声類似度検出処理部は、同じ周波数について、前記第１の音声スペクトル情報が示す電力値と前記第２の音声スペクトル情報が示す電力値とから類似度を求め、複数の周波数についての各類似度から前記音声類似度を示す値を求める
ことを特徴とする請求項１又は２に記載のデジタル放送受信装置。
【請求項４】
前記第１の一時記憶部に格納される前記第１の音声スペクトル情報は、予め決められた第１の周波数範囲内の複数の周波数についての電力値情報を含み、
前記第２の一時記憶部に格納される前記第２の音声スペクトル情報は、前記第１の周波数範囲を含む第２の周波数範囲内の複数の周波数についての電力値情報を含み、
前記音声類似度検出処理部は、前記第１の音声スペクトル情報が示すある時点の複数の周波数についての電力値と前記第２の音声スペクトル情報に含まれるある時点の複数の周波数についての電力値との類似度を求める処理を繰り返し行い、求められた全ての前記類似度から前記音声類似度を示す値を求める
ことを特徴とする請求項１又は２に記載のデジタル放送受信装置。
【請求項５】
ある物理チャンネルが前記第２の放送受信系統で選局された際に計算した前記音声類似度を示す値について、複数の選局回数分の前記音声類似度を示す値を前記サービスリスト格納部に格納し、該格納された選局回数分の前記音声類似度を示す値の総和をサービス情報と関連付けて前記サービスリスト格納部に格納することを特徴とする請求項１又は２に記載のデジタル放送受信装置。
【請求項６】
前記音声類似度検出処理部は、同じ周波数について第１の音声スペクトル情報と第２の音声スペクトル情報の差の絶対値を算出し、該算出を予め決められた周波数の全てについて繰り返し行い、該繰り返しの算出によって得られた複数の算出結果の合計値を、前記音声類似度を示す値とすることを特徴とする請求項１又は２に記載のデジタル放送受信装置。
【請求項７】
前記音声類似度検出処理部は、さらに
前記第１の一時記憶部に格納された前記第１の音声スペクトル情報のうちｉ番目（ｉは０以上の整数）の第１の音声スペクトル情報部分を取り出し、ｉ番目の第１の音声スペクトル情報部分の各周波数成分を全周波数分合計した第１の電力値を求め、前記第１の電力値が、ある無音閾値よりも小さい場合に、前記取り出された前記第１の音声スペクトル情報部分を第１の無音部分と判定する処理を、前記第１の音声スペクトル情報部分の各々について順に行い、
前記第２の一時記憶部に格納された前記第２の音声スペクトル情報のうちｊ番目（ｊは０以上の整数）の第１の音声スペクトル情報部分を取り出し、ｊ番目の第２の音声スペクトル情報部分の各周波数成分を全周波数分合計した第２の電力値を求め、前記第２の電力値が、ある無音閾値よりも小さい場合に、前記取り出された前記第２の音声スペクトル情報部分を第２の無音部分と判定する処理を、前記第２の音声スペクトル情報部分の各々について順に行い、
前記第１の無音部分の期間である第１の無音期間と次の第１の無音期間との間の第１の時間間隔と、連続する複数の前記第１の無音期間からなる第１の無音継続期間と、前記第２の無音部分の期間である第２の無音期間と次の第２の無音期間との間の第２の時間間隔と、連続する複数の前記第２の無音期間からなる第２の無音継続期間とから、前記音声類似度を示す値を求める
ことを特徴とする請求項１又は２に記載のデジタル放送受信装置。
【請求項８】
前記音声類似度検出処理部は、
前記第１の一時記憶部に格納された前記第１の音声スペクトル情報のうち格納された時間に相当する時間的な格納位置が中央にある第１の音声スペクトル情報を評価対象の音声スペクトル情報とし、該評価対象の音声スペクトル情報と音声類似度の高い音声スペクトル情報を前記第２の一時記憶部から検出する処理を行い、音声類似度が所定の閾値よりも高い音声スペクトル情報が検出できた場合に、
該検出した音声スペクトル情報の時間的な格納位置が、前記評価対象の音声スペクトル情報の時間的な格納位置よりも時間的に早い位置の場合には、前記評価対象の音声スペクトル情報の時間的な格納位置よりも時間的に後の格納位置の音声スペクトル情報を次の新たな評価対象の音声スペクトル情報として類似音声検出処理を行い、
該検出した音声スペクトル情報の時間的な格納位置が、前記評価対象の音声スペクトル情報の時間的な格納位置よりも時間的に遅い位置の場合には、前記評価対象の音声スペクトル情報の時間的な格納位置よりも時間的に前の格納位置の音声スペクトル情報を次の新たな評価対象の音声スペクトル情報として類似音声検出処理を行い、
前記複数回の類似音声検出処理のいずれにおいても、音声類似度を示す値が所定の前記閾値より高い音声スペクトル情報が検出できた場合に、同一番組を実施している放送サービスであると判定して前記サービスリスト格納部に記録する
ことを特徴とする請求項１又は２に記載のデジタル放送受信装置。
【請求項９】
前記第１の抽出部及び前記第２の抽出部は、前記符号化ストリーム中のＭＤＣＴ係数を前記第１の音声スペクトル情報又は前記第２の音声スペクトル情報として、前記第１の一時記憶部又は前記第２の一時記憶部にそれぞれ格納することを特徴とする請求項１又は２記載のデジタル放送受信装置。
【請求項１０】
第１の一時記憶部を備え、放送波のチャンネルを選局し、該選局されたチャンネルの第１の符号化ストリームから第１の音声スペクトル情報を抽出し、該抽出された第１の音声スペクトル情報を前記第１の一時記憶部に格納する第１の放送受信系統と、
第２の一時記憶部を備え、放送波のチャンネルを順次選局し、該選局されたチャンネルの第２の符号化ストリームから第２の音声スペクトル情報を順次抽出し、該抽出された第２の音声スペクトル情報を前記第２の一時記憶部に順次格納する第２の放送受信系統と、
を有するデジタル放送受信装置における選局方法であって、
前記第１の一時記憶部に格納された前記第１の音声スペクトル情報と前記第２の一時記憶部に順次格納された前記第２の音声スペクトル情報とから、前記第１の音声スペクトル情報を含む第１の番組と前記第２の音声スペクトル情報を含む第２の番組との音声類似度を示す値を順次生成するステップと、
前記第２の放送受信系統によって抽出された付属情報と順次生成された前記音声類似度を示す値とを互いに対応させた情報を含むサービスリストを生成してサービスリスト格納部に格納するステップと、
前記第１の放送受信系統によって選局されているチャンネルの放送波の受信状況を示す値が予め設定された基準値より低くなったときに、受信状況の悪化を示す通知信号を前記第１の放送受信系統に送るステップと、
前記第１の放送受信系統が、前記通知信号を受け取ったときに、前記サービスリスト格納部に格納されている前記サービスリストの前記音声類似度を示す値を参照することによって、前記第１の放送受信系統が選局しているチャンネルの番組と最も類似している番組を同一番組と判定し、選局しているチャンネルを、前記同一番組と判定されたチャンネルに切換えるステップと
を有することを特徴とする選局方法。
【請求項１１】
前記第１の一時記憶部に格納される前記第１の音声スペクトル情報と前記第２の一時記憶部に格納される前記第２の音声スペクトル情報とは、互いに同じ周波数についての音声スペクトル情報を含み、
前記音声類似度を示す値を順次生成するステップは、同じ周波数について、前記第１の音声スペクトル情報が示す電力値と前記第２の音声スペクトル情報が示す電力値とから類似度を求め、複数の周波数についての各類似度から前記音声類似度を示す値を求める
ことを特徴とする請求項１０に記載の選局方法。
【請求項１２】
前記第１の一時記憶部に格納される前記第１の音声スペクトル情報は、予め決められた第１の周波数範囲内の複数の周波数についての電力値情報を含み、
前記第２の一時記憶部に格納される前記第２の音声スペクトル情報は、前記第１の周波数範囲を含む第２の周波数範囲内の複数の周波数についての電力値情報を含み、
前記音声類似度を示す値を順次生成するステップは、前記第１の音声スペクトル情報が示すある時点の複数の周波数についての電力値と前記第２の音声スペクトル情報に含まれるある時点の複数の周波数についての電力値との類似度を求める処理を繰り返し行い、求められた全ての前記類似度から前記音声類似度を示す値を求める
ことを特徴とする請求項１０に記載の選局方法。
【請求項１３】
ある物理チャンネルが前記第２の放送受信系統で選局された際に計算した前記音声類似度を示す値について、複数の選局回数分の前記音声類似度を示す値を前記サービスリスト格納部に格納し、該格納された選局回数分の前記音声類似度を示す値の総和をサービス情報と関連付けて前記サービスリスト格納部に格納することを特徴とする請求項１０に記載の選局方法。
【請求項１４】
前記音声類似度を示す値を順次生成するステップにおいて、同じ周波数について第１の音声スペクトル情報と第２の音声スペクトル情報の差の絶対値を算出し、該算出を予め決められた周波数の全てについて繰り返し行い、該繰り返しの算出によって得られた複数の算出結果の合計値を、前記音声類似度を示す値とすることを特徴とする請求項１０に記載の選局方法。
【請求項１５】
前記音声類似度を示す値を順次生成するステップにおいては、さらに
前記第１の一時記憶部に格納された前記第１の音声スペクトル情報のうちｉ番目（ｉは０以上の整数）の第１の音声スペクトル情報部分を取り出し、ｉ番目の第１の音声スペクトル情報部分の各周波数成分を全周波数分合計した第１の電力値を求め、前記第１の電力値が、ある無音閾値よりも小さい場合に、前記取り出された前記第１の音声スペクトル情報部分を第１の無音部分と判定する処理を、前記第１の音声スペクトル情報部分の各々について順に行い、
前記第２の一時記憶部に格納された前記第２の音声スペクトル情報のうちｊ番目（ｊは０以上の整数）の第１の音声スペクトル情報部分を取り出し、ｊ番目の第２の音声スペクトル情報部分の各周波数成分を全周波数分合計した第２の電力値を求め、前記第２の電力値が、ある無音閾値よりも小さい場合に、前記取り出された前記第２の音声スペクトル情報部分を第２の無音部分と判定する処理を、前記第２の音声スペクトル情報部分の各々について順に行い、
前記第１の無音部分の期間である第１の無音期間と次の第１の無音期間との間の第１の時間間隔と、連続する複数の前記第１の無音期間からなる第１の無音継続期間と、前記第２の無音部分の期間である第２の無音期間と次の第２の無音期間との間の第２の時間間隔と、連続する複数の前記第２の無音期間からなる第２の無音継続期間とから、前記音声類似度を示す値を求める
ことを特徴とする請求項１０に記載の選局方法。
【請求項１６】
前記音声類似度を示す値を順次生成するステップにおいては、
前記第１の一時記憶部に格納された前記第１の音声スペクトル情報のうち格納された時間に相当する時間的な格納位置が中央にある第１の音声スペクトル情報を評価対象の音声スペクトル情報とし、該評価対象の音声スペクトル情報と音声類似度の高い音声スペクトル情報を前記第２の一時記憶部から検出する処理を行い、音声類似度が所定の閾値よりも高い音声スペクトル情報が検出できた場合に、
該検出した音声スペクトル情報の時間的な格納位置が、前記評価対象の音声スペクトル情報の時間的な格納位置よりも時間的に早い位置の場合には、前記評価対象の音声スペクトル情報の時間的な格納位置よりも時間的に後の格納位置の音声スペクトル情報を次の新たな評価対象の音声スペクトル情報として類似音声検出処理を行い、
該検出した音声スペクトル情報の時間的な格納位置が、前記評価対象の音声スペクトル情報の時間的な格納位置よりも時間的に遅い位置の場合には、前記評価対象の音声スペクトル情報の時間的な格納位置よりも時間的に前の格納位置の音声スペクトル情報を次の新たな評価対象の音声スペクトル情報として類似音声検出処理を行い、
前記複数回の類似音声検出処理のいずれにおいても、音声類似度を示す値が所定の前記閾値より高い音声スペクトル情報が検出できた場合に、同一番組を実施している放送サービスであると判定して前記サービスリスト格納部に記録する
ことを特徴とする請求項１０に記載の選局方法。
【請求項１７】
前記第１の音声スペクトル情報を抽出する処理及び前記第２の音声スペクトル情報を抽出する処理は、前記符号化ストリーム中のＭＤＣＴ係数を前記第１の音声スペクトル情報又は前記第２の音声スペクトル情報として、前記第１の一時記憶部又は前記第２の一時記憶部にそれぞれ格納する処理であることを特徴とする請求項１０に記載の選局方法。
【発明の詳細な説明】
【技術分野】
【０００１】
本発明は、デジタル放送受信装置及び選局方法に関するものである。
【背景技術】
【０００２】
従来、移動体に搭載された放送受信装置で視聴中の番組の受信状況が悪化した場合、視聴者は、手動操作によって放送波のチャンネルをサーチし、現在視聴中の番組と同一内容の番組（以下「同一番組」とも言う。）が放送されている別の放送波のチャンネルを見つける必要があった。特許文献１は、このような手動操作を不要とするため、視聴中の番組の受信状況が悪化したときに、電子番組表情報に基づいて同一番組が放送されている別の放送波のチャンネルを見つけ、このチャンネルを自動選局するデジタル放送受信装置を提案している。【０００３】
また、非特許文献１は、複数の放送エリアにまたがって地上デジタルテレビジョン放送を受信する移動受信に際し、同一系列の地上ブロードキャスタの放送サービスを継続して受信する受信装置は、拡張ブロードキャスタ記述子の“ａｆｆｉｌｉａｔｉｏｎ＿ｉｄ（系列識別）”の情報を元に同一系列の放送であるかどうかを判定することが可能であること、及び、受信中のトランスポートストリームが放送されている各周波数についての情報が番組特定情報（ＰＳＩ）に含まれていること、を記載している。さらに、非特許文献２は、受信中のトランスポートストリーム（ＴＳ）が放送されている各周波数についての情報が番組特定情報に含まれていることを記載している。
【先行技術文献】
【特許文献】
【０００４】
【特許文献１】特開２００７−３６８１５号公報（例えば、段落００２２及び００５８）
【非特許文献】
【０００５】
【非特許文献１】「地上デジタルテレビジョン放送運用規定  技術資料  ＡＲＩＢ  ＴＲ−Ｂ１４  ５．２版（第二分冊）」、一般社団法人電波産業会（平成２５年７月発行）、第四編「地上デジタルテレビジョン放送  ＰＳＩ／ＳＩ運用規定」、第１部９．４（第４−３４頁から第４−３６頁）及び第１部３０．４（第４−２５０頁）
【非特許文献２】「ＥＴＳＩ  ＥＮ  ３００  ４６８  Ｖ１．１１．１（２０１０−０４）」、  Ｄｉｇｉｔａｌ  Ｖｉｄｅｏ  Ｂｒｏａｄｃａｓｔｉｎｇ（ＤＶＢ）  Ｓｐｅｃｉｆｉｃａｔｉｏｎ  ｆｏｒ  Ｓｅｒｖｉｃｅ  Ｉｎｆｏｒｍａｔｉｏｎ（ＳＩ）  ｉｎ  ＤＶＢ  ｓｙｓｔｅｍｓ、  第６．２．１３．４章「Ｔｅｒｒｅｓｔｒｉａｌ  ｄｅｌｉｖｅｒｙ  ｓｙｓｔｅｍ  ｄｅｓｃｒｉｐｔｏｒ」（第４８頁）
【発明の概要】
【発明が解決しようとする課題】
【０００６】
しかしながら、放送局から送信されるサービス情報（例えば、電子番組表情報、周波数情報、及び番組特定情報など）を利用した上記従来のチャンネル検出方式は、放送局がこのようなサービス情報を送信していない場合には、使用できないという問題がある。【０００７】
また、固定受信機向けの放送規格及びモバイル放送向けの放送規格は、同一番組を検出するために利用可能な情報を規定している場合があるが、このような規定があったとしても、放送局からこのような情報を送信されないことが多く、この場合には、同一番組を自動的に検出することができないという問題がある。なお、固定受信機向けの放送方式は、例えば、欧州等におけるＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）及びＤＶＢ−Ｔ２、中国におけるＤＴＭＢ（Ｄｉｇｉｔａｌ  Ｔｅｒｒｅｓｔｒｉａｌ  Ｍｕｌｔｉｍｅｄｉａ  Ｂｒｏａｄｃａｓｔ）、南米におけるＩＳＤＢ−ＴＢ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ  Ｂｒａｚｉｌ）、及び米国におけるＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ  ｓｔａｎｄａｒｄｓ）などである。また、モバイル放送向けの放送方式は、例えば、中国におけるＣＭＭＢ（Ｃｈｉｎａ  Ｍｏｂｉｌｅ  Ｍｕｌｔｉｍｅｄｉａ  Ｂｒｏａｄｃａｓｔｉｎｇ）、欧州等におけるＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）、欧州及び韓国等におけるＤＭＢ・ＤＡＢ（Ｄｉｇｉｔａｌ  Ｍｕｌｔｉｍｅｄｉａ  Ｂｒｏａｄｃａｓｔｉｎｇ／  Ｄｉｇｉｔａｌ  Ａｕｄｉｏ  Ｂｒｏａｄｃａｓｔ）、及び米国におけるＡＴＳＣ−Ｍ／Ｈ（Ａｄｖａｎｃｅｄ  Ｔｅｌｅｖｉｓｉｏｎ  Ｓｙｓｔｅｍｓ  Ｃｏｍｍｉｔｔｅｅ−Ｍｏｂｉｌｅ／Ｈａｎｄｈｅｌｄ）などである。【０００８】
また、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）及びＩＳＤＢ−ＴＢにおけるワンセグ放送（１  ｓｅｇｍｅｎｔ  ｂｒｏａｄｃａｓｔｉｎｇ）とフルセグ放送（ｆｕｌｌ  ｓｅｇｍｅｎｔ  ｂｒｏａｄｃａｓｔｉｎｇ）との間では、番組識別情報の番組名を参照することで同一番組であるか否かを判定することができる場合がある。しかし、ワンセグ放送及びフルセグ放送の少なくとも一方で番組識別情報が送信されない場合、又は、ワンセグ放送の番組識別情報とフルセグ放送の番組識別情報とが異なる場合には、受信装置は、同一番組であるか否かの判定を行うことができないという問題がある。【０００９】
さらに、固定受信機向けの放送番組とモバイル放送向けの放送番組との間（例えば、中国におけるＤＴＭＢとＣＭＭＢとの間、欧州等におけるＤＶＢ−Ｔ２とＤＶＢ−Ｔとの間、及び、米国におけるＡＴＳＣとＡＴＳＣ−Ｍ／Ｈとの間など）で同一番組であるか否かの判定を行うために番組名を用いたとしても、同一番組でありながら番組識別情報の番組名が一致しない場合、又は、同一番組でありながら番組名が記述されている言語が異なる場合には、同一番組であるか否かの判定を行うことができないという問題がある。また、非特許文献１に記載されている系列局情報及び中継局の周波数情報、並びに、非特許文献２に記載されている中継局の周波数情報は、異なる放送規格をカバーしていないため、固定受信機向けの放送とモバイル放送向けの放送との間における同一番組の判定に使用することができないという問題がある。【００１０】
以上に説明したように、上記従来の放送方式においては、視聴中のチャンネルの受信状況が悪化したときに、良好に受信可能な同一番組の放送波が存在するにもかかわらず、同一番組の存在を検出することができない場合が多いという問題があった。【００１１】
そこで、本発明は、上記従来技術の課題を解決するためになされたものであり、放送波のチャンネルの受信状況が悪化した場合に、視聴中の番組と同一内容の番組であると判定された番組を放送する他のチャンネルを自動的に検出し選局することができるデジタル放送受信装置及び選局方法を提供することを目的とする。
【課題を解決するための手段】
【００１２】
本発明の一態様に係るデジタル放送受信装置は、第１の一時記憶部を備え、放送波のチャンネルを選局し、該選局されたチャンネルの第１の符号化ストリームから第１の音声スペクトル情報を抽出し、該抽出された第１の音声スペクトル情報を前記第１の一時記憶部に格納する第１の放送受信系統と、第２の一時記憶部を備え、放送波のチャンネルを順次選局し、該選局されたチャンネルの第２の符号化ストリームから第２の音声スペクトル情報を順次抽出し、該抽出された第２の音声スペクトル情報を前記第２の一時記憶部に順次格納する第２の放送受信系統と、前記第１の一時記憶部に格納された前記第１の音声スペクトル情報と前記第２の一時記憶部に順次格納された前記第２の音声スペクトル情報とから、前記第１の音声スペクトル情報を含む第１の番組と前記第２の音声スペクトル情報を含む第２の番組との音声類似度を示す値を順次生成する音声類似度検出処理部と、前記第２の放送受信系統によって抽出された付属情報と前記音声類似度検出処理部によって順次生成された前記音声類似度を示す値とを互いに対応させた情報を含むサービスリストを格納するサービスリスト格納部と、前記第１の放送受信系統によって選局されているチャンネルの放送波の受信状況を示す値が予め設定された基準値より低くなったときに、受信状況の悪化を示す通知信号を前記第１の放送受信系統に送る受信監視部とを有し、前記第１の放送受信系統は、前記受信監視部から前記通知信号を受け取ったときに、前記サービスリスト格納部に格納されている前記サービスリストの前記音声類似度を示す値を参照することによって、前記第１の放送受信系統が選局しているチャンネルの番組と最も類似している番組を同一番組と判定し、選局しているチャンネルを、前記同一番組と判定されたチャンネルに切換えることを特徴とする。【００１３】
本発明の他の態様に係る選局方法は、第１の一時記憶部を備え、放送波のチャンネルを選局し、該選局されたチャンネルの第１の符号化ストリームから第１の音声スペクトル情報を抽出し、該抽出された第１の音声スペクトル情報を前記第１の一時記憶部に格納する第１の放送受信系統と、第２の一時記憶部を備え、放送波のチャンネルを順次選局し、該選局されたチャンネルの第２の符号化ストリームから第２の音声スペクトル情報を順次抽出し、該抽出された第２の音声スペクトル情報を前記第２の一時記憶部に順次格納する第２の放送受信系統と、を有するデジタル放送受信装置における選局方法であって、前記第１の一時記憶部に格納された前記第１の音声スペクトル情報と前記第２の一時記憶部に順次格納された前記第２の音声スペクトル情報とから、前記第１の音声スペクトル情報を含む第１の番組と前記第２の音声スペクトル情報を含む第２の番組との音声類似度を示す値を順次生成するステップと、前記第２の放送受信系統によって抽出された付属情報と順次生成された前記音声類似度を示す値とを互いに対応させた情報を含むサービスリストを生成してサービスリスト格納部に格納するステップと、前記第１の放送受信系統によって選局されているチャンネルの放送波の受信状況を示す値が予め設定された基準値より低くなったときに、受信状況の悪化を示す通知信号を前記第１の放送受信系統に送るステップと、前記第１の放送受信系統が、前記通知信号を受け取ったときに、前記サービスリスト格納部に格納されている前記サービスリストの前記音声類似度を示す値を参照することによって、前記第１の放送受信系統が選局しているチャンネルの番組と最も類似している番組を同一番組と判定し、選局しているチャンネルを、前記同一番組と判定されたチャンネルに切換えるステップとを有することを特徴とする。
【発明の効果】
【００１４】
本発明によれば、視聴中の番組の音声スペクトルと類似する音声スペクトルを持つ番組、すなわち、同一番組であると判定された番組を放送するチャンネルを検出し、視聴中の番組の受信状況が悪化したときに、同一番組であると判定された番組を放送するチャンネルに自動的に選局することができる。このように、本発明によれば、視聴中の番組の受信状況が悪化したときであっても、視聴者は、良好な受信状況で、同一番組であると判定された他のチャンネルの番組を視聴し続けることができる。
【図面の簡単な説明】
【００１５】
【図１】本発明の実施の形態１に係るデジタル放送受信装置の構成を概略的に示すブロック図である。
【図２】（ａ）及び（ｂ）は、実施の形態１に係るデジタル放送受信装置のサービスリスト格納部に格納されたサービスリストの一例及び他の例を示す図である。
【図３】実施の形態１に係るデジタル放送受信装置の第１の選局制御部の動作を概略的に示すフローチャートである。
【図４】実施の形態１に係るデジタル放送受信装置の音声類似度検出処理部の動作を概略的に示すフローチャートである。
【図５】（ａ）から（ｄ）は、実施の形態１に係るデジタル放送受信装置の音声類似度検出処理部における第１の音声スペクトル情報と第２の音声スペクトル情報との間の音声類似度検出動作を説明するための図である。
【図６】（ａ）から（ｃ）は、実施の形態１に係るデジタル放送受信装置の音声類似度検出処理部における音声類似度合計値の算出処理の一例を説明するための図である。
【図７】（ａ）及び（ｂ）は、実施の形態１に係るデジタル放送受信装置の第１の一時記憶部に記憶された第１の音声スペクトル情報と第２の一時記憶部に記憶された第２の音声スペクトル情報との間の時間差と、音声類似度合計値とを示す図である。
【図８】本発明の実施の形態２に係るデジタル放送受信装置の構成を概略的に示すブロック図である。
【図９】実施の形態２に係るデジタル放送受信装置のサービスリスト格納部に格納されたサービスリストの一例を示す図である。
【図１０】実施の形態２に係るデジタル放送受信装置の音声類似度検出処理部の動作を概略的に示すフローチャートである。
【図１１】実施の形態２に係るデジタル放送受信装置の第１の選局制御部の動作を概略的に示すフローチャートである。
【図１２】本発明の実施の形態３に係るデジタル放送受信装置の構成を概略的に示すブロック図である。
【図１３】実施の形態３に係るデジタル放送受信装置の音声類似度検出処理部の動作を概略的に示すフローチャートである。
【図１４】（ａ）から（ｄ）は、実施の形態３に係るデジタル放送受信装置の音声類似度検出処理部における第１の音声スペクトル情報と第２の音声スペクトル情報との間の音声類似度検出動作を説明するための図である。
【図１５】本発明の実施の形態４に係るデジタル放送受信装置の構成を概略的に示すブロック図である。
【図１６】実施の形態４に係るデジタル放送受信装置の音声類似度検出処理部の動作を概略的に示すフローチャートである。
【図１７】本発明の実施の形態５に係るデジタル放送受信装置の構成を概略的に示すブロック図である。
【図１８】実施の形態５に係るデジタル放送受信装置の音声類似度検出処理部における第１の音声スペクトル情報と第２の音声スペクトル情報との間の音声類似度検出動作（第２の音声スペクトル情報が第１の音声スペクトル情報よりも時間的に早い時刻に格納された場合の動作）を説明するための図である。
【図１９】実施の形態５に係るデジタル放送受信装置の音声類似度検出処理部における第１の音声スペクトル情報と第２の音声スペクトル情報との間の音声類似度検出動作（第２の音声スペクトル情報が第１の音声スペクトル情報よりも時間的に遅い時刻に格納された場合の動作）を説明するための図である。
【図２０】実施の形態５に係るデジタル放送受信装置の音声類似度検出処理部の動作を概略的に示すフローチャートである。
【発明を実施するための形態】
【００１６】
実施の形態１．
図１は、本発明の実施の形態１に係るデジタル放送受信装置１００の構成を概略的に示すブロック図である。デジタル放送受信装置１００は、実施の形態１に係る選局方法を実施することができる装置である。図１に示されるように、デジタル放送受信装置１００は、アンテナを介して入力された放送波ＲＦのチャンネルの選局及び選局されたチャンネルの信号の復調を行うことによって第１の復調信号Ｃ１を生成する第１のチューナ復調部１１１と、第１のチューナ復調部１１１による選局を制御する第１の選局制御部１１３と、第１のチューナ復調部１１１によって生成された第１の復調信号Ｃ１から第１の映像音声符号化ストリームＣ２を抽出する第１のデマルチプレクス部１１２とを備える。また、デジタル放送受信装置１００は、第１の映像音声符号化ストリームＣ２をデコードして映像音声信号Ｃ５を生成する映像音声デコード部１１６と、第１のデマルチプレクス部１１２によって抽出された第１の映像音声符号化ストリームＣ２から第１の音声スペクトル（ａｕｄｉｏ  ｓｐｅｃｔｒｕｍ）情報Ｃ３を抽出する第１の抽出部１１４と、第１の抽出部１１４によって抽出された第１の音声スペクトル情報Ｃ３を一時的に格納する第１の一時記憶部１１５とを備える。上記構成要素１１１〜１１６は、第１の放送受信系統１１０を構成する。
【００１７】
また、図１に示されるように、デジタル放送受信装置１００は、アンテナを介して入力された放送波ＲＦのチャンネルの選局及び選局されたチャンネルの信号の復調を行うことによって第２の復調信号Ｄ１を生成する第２のチューナ復調部１２１と、第２のチューナ復調部１２１が順次チャンネルを切換えるように（すなわち、予め決められた周波数範囲及び予め決められた放送方式の放送波をサーチするように）選局を制御する第２の選局制御部１２３と、第２のチューナ復調部１２１によって順次生成された第２の復調信号Ｄ１から第２の映像音声符号化ストリームＤ２及び放送番組に関する付属情報Ｄ５を順次抽出する第２のデマルチプレクス部１２２とを備える。また、デジタル放送受信装置１００は、第２のデマルチプレクス部１２２によって順次抽出された第２の映像音声符号化ストリームＤ２から第２の音声スペクトル（ａｕｄｉｏ  ｓｐｅｃｔｒｕｍ）情報Ｄ３を順次抽出する第２の抽出部１２４と、第２の抽出部１２４によって順次抽出された第２の音声スペクトル情報Ｄ３を一時的に格納する第２の一時記憶部１２５とを備える。上記構成要素１２１〜１２５は、第１の放送受信系統１１０から出力されている番組と同じ内容の番組（同一番組）が放送されている他のチャンネルを見つけるためのチャンネル検索を行う第２の放送受信系統１２０を構成する。
【００１８】
さらに、図１に示されるように、デジタル放送受信装置１００は、第１の一時記憶部１１５に格納された第１の音声スペクトル情報と第２の一時記憶部１２５に格納された第２の音声スペクトル情報とを読み出し、第１の音声スペクトル情報Ｃ４を含む第１の番組と第２の音声スペクトル情報Ｄ４を含む第２の番組との音声スペクトルの類似度（以下「音声類似度」とも言う。）を示す値Ｅ１（例えば、後述する音声類似度合計値Ｒ）を順次生成する音声類似度検出処理部１３１を備える。また、デジタル放送受信装置１００は、第２のデマルチプレクス部１２２によって順次抽出されたサービス情報としての付属情報Ｄ５と音声類似度検出処理部１３１によって順次生成された音声類似度を示す値Ｅ１とを互いに対応させた情報を含むサービスリストを格納するサービスリスト格納部１３２を備える。また、デジタル放送受信装置１００は、第１のチューナ復調部１１１によって選局されているチャンネルの放送波ＲＦの受信状況を示す値が予め設定された基準値より低くなったときに、受信状況の悪化を示す通知信号Ｇ１を第１の選局制御部１１３に送る受信監視部１３３と、制御信号Ｆ１によって装置全体の動作を制御する制御部１３４とを備える。第１の選局制御部１１３は、受信監視部１３３から通知信号Ｇ１を受け取ったときに、サービスリスト格納部１３２に格納されているサービスリストを参照することによって、同一番組と判定された番組が放送されている他のチャンネルを選局する。
【００１９】
次に、デジタル放送受信装置１００の構成及び動作をより詳細に説明する。第１の選局制御部１１３は、ユーザ操作などに応じて制御部１３４から送出される制御信号に応じて第１のチューナ復調部１１１の選局を制御し、また、受信監視部１３３から通知信号Ｇ１を受け取ったときにはサービスリスト格納部１３２に格納されているサービスリストに基づいて第１のチューナ復調部１１１の選局を指示する指示信号を生成する。
【００２０】
第１のチューナ復調部１１１は、第１の選局制御部１１３で生成された指示信号を受け取り、この指示信号に応じた所望の物理チャンネルにチューニングし、デジタルテレビ放送又はデジタルラジオ放送等のデジタル放送を受信及び復調して、第１の復調信号Ｃ１を生成する。
【００２１】
第１のデマルチプレクス部１１２は、第１のチューナ復調部１１１で生成された第１の復調信号Ｃ１を受け取り、この第１の復調信号Ｃ１から映像符号化ストリームと音声符号化ストリームとを含む第１の映像音声符号化ストリームＣ２を生成する。
【００２２】
映像音声デコード部１１６は、第１のデマルチプレクス部１１２で生成された第１の映像音声符号化ストリームＣ２を受け取り、この第１の映像音声符号化ストリームＣ２をデコードして映像音声信号Ｃ５を生成する。映像音声信号Ｃ５は、例えば、外部装置に供給される。外部装置は、例えば、液晶モニタなどの表示部を含む映像表示装置、及び、スピーカなどのような音声出力部を含む音声出力装置などである。この場合、ユーザは、映像表示装置に表示された映像及び音声出力装置から出力される音を視聴することができる。なお、デジタル放送受信装置は、映像表示装置及び音声出力装置を含むデジタルテレビ、又は、映像信号及び音声信号を情報記録媒体に記録する手段を備えたビデオレコーダであってもよい。
【００２３】
第１の抽出部１１４は、現在視聴中の番組についての第１の映像音声符号化ストリームＣ２から第１の音声スペクトル情報Ｃ３を抽出する。第１の一時記憶部１１５は、現在視聴中の番組についての第１の音声スペクトル情報Ｃ３を一時的に記憶する。第１の抽出部１１４による第１の音声スペクトル情報Ｃ３の抽出及び第１の一時記憶部１１５による第１の音声スペクトル情報Ｃ３の記憶は、例えば、予め決められた時間間隔で順次行われる。第１の一時記憶部１１５は、例えば、新しい情報から順に数えた個数について、予め決められた個数の第１の音声スペクトル情報が格納されるように、格納されている音声スペクトル情報を更新する。
【００２４】
第１の放送受信系統１１０によって映像音声信号Ｃ５を出力するための処理と並行して、第２の放送受信系統１２０は、受信可能な他のチャンネルを順次検索する処理（以下「裏スキャン処理」とも言う。）を実行する。例えば、第２の放送受信系統１２０は、放送波ＲＦに含まれる付属情報（例えば、サービス一覧表、電子番組表情報、番組特定情報、番組識別情報など）を収集する。第２の選局制御部１２３は、裏スキャン処理及び付属情報の収集のための選局制御を行う。第２の選局制御部１２３は、サービスリストが未収集の場合、例えば、周波数帯を物理チャンネル番号の昇順に第２のチューナ復調部１２１に順に選局指示を行い、物理チャンネル番号の各々において数秒間必要な情報を収集及び監視するためのチューニングを維持する。第２のチューナ復調部１２１で復調した信号は、第２のデマルチプレクス部１２２で、サービス情報としての付属情報を抽出し、抽出した付属情報をサービスリスト格納部１３２に格納する。サービスリスト格納部１３２に格納された付属情報は、受信可能放送サービス一覧表や、番組一覧表として表示される。第２の選局制御部１２３は、予め決められた周波数帯についてサービスリストを形成するために必要な情報が一通り収集できた後も、付属情報の更新のため、及び、放送エリアの移動に伴う受信可能放送波の変化などの監視のために、裏スキャン処理を継続する。
【００２５】
第１の抽出部１１４は、第１のデマルチプレクス部１１２で分離されたストリームの内の音声ストリームである音声圧縮ストリームを解析し、第１の音声スペクトル情報Ｃ３を抽出する。第２の抽出部１２４は、第２のデマルチプレクス部１２２で分離されたストリームの内の音声ストリームである音声圧縮ストリームを解析し、第２の音声スペクトル情報Ｄ３を抽出する。デジタル放送で使用される各種のオーディオ圧縮符号化方式では、アナログ音声信号はＡ／Ｄ（アナログ／デジタル）変換処理によってＰＣＭ（Ｐｕｌｓｅ  Ｃｏｄｅ  Ｍｏｄｕｌａｔｉｏｎ）デジタル信号に変換され、このＰＣＭデジタル信号がＭＤＣＴ（変形離散コサイン変換）により周波数領域のデータに変換される。このようにして得られるＭＤＣＴ係数は、音声信号の各周波数成分の電力値を示している。その後、ＭＤＣＴ係数は、周波数毎の電力密度の違い又は人間の聴覚モデルを利用して、周波数毎の量子化、及び、不要な情報の削除が行われ、符号化される。第１の抽出部１１４は、視聴中の番組の第１の音声スペクトル情報を、第２の抽出部１２４は、視聴中の番組以外の番組の第２の音声スペクトル情報を、それぞれＭＤＣＴ係数を含む音声圧縮ストリームから抽出する。
【００２６】
第１の抽出部１１４で抽出された第１の音声スペクトル情報は、第１の一時記憶部１１５に一時記憶され、第２の抽出部１２４で抽出された第２の音声スペクトル情報は、第２の一時記憶部１２５に一時記憶される。記憶されたこれらの情報は、例えば、第１の放送受信系統１１０又は第２の放送受信系統１２０の受信ストリームが他のストリームに選局されたときにクリアされる。また、第１の一時記憶部１１５及び第２の一時記憶部１２５は、裏スキャン処理時にサービス情報を取得するため物理チャンネルを維持する数秒間の音声ストリームを一時記憶するだけの記憶容量を有すればよい。
【００２７】
第１の一時記憶部１１５及び第２の一時記憶部１２５に音声ストリームを一時的に格納する理由は、物理チャンネル番号が異なる同一番組の間には、例えば、数秒の時間的なずれが存在する場合があり、音声類似度検出処理部１３１が、同一番組の同一シーンの音声部分のデータを、第１の一時記憶部１１５及び第２の一時記憶部１２５内において（すなわち、バッファ内において）サーチするためである。この時間的なずれは、放送局におけるエンコード方式の違い及び変調方式の違いなどの放送規格の違いに起因するずれ成分と、中継局における処理及び復調処理における遅延ばらつきに起因するずれ成分とを含む。
【００２８】
音声類似度検出処理部１３１は、第１の一時記憶部１１５内のある時点の第１の音声スペクトル情報に対する、第２の一時記憶部１２５内の第２の音声スペクトル情報群（複数の第２の音声スペクトル情報の各々）の音声類似度を演算し、音声類似度を示す値Ｅ１（音声類似度値Ｒｉ，ｊ、及び、音声類似度値の合計値である音声類似度合計値Ｒなど）を算出する。音声類似度の演算の内容については後述する。音声類似度が高い番組、すなわち、音声類似度を示す値が予め決められた基準値よりも高い番組は、同一番組と判定する。演算によって得られた音声類似度を示す値の合計値を音声類似度合計値Ｒとして、サービスリスト格納部１３２のサービスリストに、例えば、付属情報と関連付けて格納させる。
【００２９】
図２（ａ）及び（ｂ）は、実施の形態１に係るデジタル放送受信装置１００のサービスリスト格納部１３２に格納されたサービスリストの一例（サービスリスト１４０）及び他の例（サービスリスト１４１）を示す図である。図２（ａ）に示されるように、サービスリスト格納部１３２には、例えば、裏スキャン処理で検出された付属情報（サービス名、サービスＩＤ、物理チャンネル番号など）と、音声類似度検出処理部１３１の演算によって得られた音声類似度合計値Ｒとを対応づけたサービスリスト１４０が記録される。
【００３０】
受信監視部１３３は、視聴中の番組の受信状況を監視するため、第１のチューナ復調部１１１における受信レベル及びビットエラーレート等の受信状況を監視する。受信監視部１３３は、第１のチューナ復調部１１１における受信状況が悪化したと判断したときに（例えば、受信レベルが予め決められた閾値より低下したとき、又は、ビットエラーレートが予め決められた閾値を超えた場合に）、第１の選局制御部１１３に受信状況の悪化を知らせる通知信号Ｇ１を与える。
【００３１】
なお、受信監視部１３３は、第１のチューナ復調部１１１における受信レベル及びビットエラーレート等の受信状況、並びに、第２のチューナ復調部１２１における受信レベル及びビットエラーレート等の受信状況の、両方の受信状況を監視してもよい。この場合には、受信監視部１３３は、現在視聴中の番組の受信状況よりも、第２のチューナ復調部１２１で復調された番組の受信状況が良好であって、且つ、同一番組と判定された番組を第２の放送受信系統１２０で受信していた場合に、第１の選局制御部１１３に受信状況の悪化を知らせる通知信号Ｇ１を送るように構成する。このような構成を採用する場合には、僅かな受信状況の低下であっても、より良好な受信状況のチャンネルを自動選局することができるので、第１のチューナ復調部１１１における受信状況を予め決められた閾値（一定値）と比較する場合に比べて、より良好な受信状況を維持することができる。
【００３２】
図３は、実施の形態１に係るデジタル放送受信装置１００の第１の選局制御部１１３の動作を概略的に示すフローチャートである。図３に示されるように、第１の選局制御部１１３は、受信監視部１３３から受信状況の悪化を知らせる通知信号（受信悪化通知）Ｇ１を受信すると（ステップＳ１０１）、サービスリスト格納部１３２のサービスリスト１４０又は１４１を参照し、サービス情報に関連付けて記録してある音声類似度合計値Ｒを参照し、最も音声類似度合計値Ｒが高い放送サービスを抽出する（ステップＳ１０２）。第１の選局制御部１１３は、抽出した音声類似度合計値Ｒがある閾値（例えば、予め決められた閾値）よりも大きい場合（ステップＳ１０３）、その放送サービスに対応して記憶している物理チャンネル番号をサービスリスト１４０から取得し、その物理チャンネル番号の放送局（中継局）の選局を第１のチューナ復調部１１１に指示する（ステップＳ１０４）。
【００３３】
このような処理によって、視聴中の番組が、同一番組であると判定された異なる放送波の番組に切り替わるので、サービスリスト格納部１３２に格納されていたサービスリスト１４０内の音声類似度合計値Ｒ、及び、第１の一時記憶部１１５内に一時記憶されていた情報をクリアする（ステップＳ１０５）。これら情報をクリアする処理は、同一番組であると判定された番組への自動切換え時以外のとき、例えば、視聴者の操作によって、視聴する番組が切換えられたときにもクリアされる。なお、これらの情報をクリアする前に、音声類似度合計値Ｒが最大であった放送サービスについて、図２（ｂ）のサービスリスト１４１の最も右側の欄のように、同一番組と判定された番組を放送している他の放送サービス（同一番組であると判定されたことがあることを示す情報）を示す項目列を、サービスリスト１４０に付加し、過去に同一番組であると判定されたことを示す情報を保存し、以後これを参照し同一番組の切換に活用するようにしてもよい。例えば、同一番組であると判定された番組が複数存在する場合に、サービスリスト１４１の最も右側の欄の情報を参照して、過去に同一番組であると判定された番組を優先的に選局するといった利用が可能である。また、例えば、同一番組であると判定された番組が存在しない場合に、サービスリスト１４１の最も右側の欄の情報を参照して、過去に同一番組であると判定された番組を選局するといった利用が可能である。
【００３４】
図４は、デジタル放送受信装置１００の音声類似度検出処理部１３１の動作を概略的に示すフローチャートである。図５（ａ）から（ｄ）は、デジタル放送受信装置１００の音声類似度検出処理部１３１における第１の音声スペクトル情報Ａ（ｆ）と第２の音声スペクトル情報Ｂ（ｆ）から音声類似度検出動作を説明するための図である。
【００３５】
第２の放送受信系統１２０における裏スキャン処理による選局指示信号（例えば、制御部１３４からの指示信号）により、第２の抽出部１２４は、ある放送サービスの最初のデータを、第２の一時記憶部１２５に格納する。この時点で、第２の抽出部１２４は、音声類似度検出処理部１３１に音声類似度検出処理の開始を指示する指示信号を与える。一方、第１の抽出部１１４は、番組視聴中は、常時、第１の音声スペクトル情報Ａ（ｆ）を抽出し、第１の一時記憶部１１５に格納する。第１の一時記憶部１１５には、時系列にＭ＋１個の第１の音声スペクトル情報Ａｉ（ｆ）が格納される。ここで、ｉ＝０，１，２，…，Ｍである。Ｍは、予め設定された正の整数である。同様に、第２の一時記憶部１２５には、時系列にＮ＋１個の第２の音声スペクトル情報Ｂｊ（ｆ）が格納される。ここで、ｊ＝０，１，２，…，Ｎである。Ｎは、予め設定された正の整数である。
【００３６】
音声類似度検出処理部１３１は、音声類似度検出処理の開始を指示する指示信号を受信すると、図４に示す音声類似度検出処理を実行する。図４に示されるように、ステップＳ１１１において、音声類似度検出処理部１３１は、第１の一時記憶部１１５に格納された第１の音声スペクトル情報Ａ（ｆ）のうちｉ番目（ｉ＝０，１，２，…，Ｍ）の第１の音声スペクトル情報Ａｉ（ｆ）を取り出し（第１ループの最初では、ｉ＝０）、これと音声類似度の高い第２の音声スペクトル情報Ｂ（ｆ）が第２の一時記憶部１２５に存在するかを検出する処理を行う。そのため、ステップＳ１１２において、音声類似度検出処理部１３１は、第２の一時記憶部１２５に格納された第２の音声スペクトル情報Ｂ（ｆ）のうちｊ番目（ｊ＝０，１，２，…，Ｎ）の第２の音声スペクトル情報Ｂｊ（ｆ）を抽出し、ステップＳ１１３において、次式（１）を用いて、音声類似度値Ｒｉ，ｊを求める演算を行う。
【００３７】
【数１】
2015056507.tif 000003
【００３８】
この演算をステップＳ１１２からステップＳ１１４の第２ループによって第２の一時記憶部１２５に格納されたＮ＋１個の第２の音声スペクトル情報Ｂｊ（ｆ）の全てに対して繰り返し行う。
【００３９】
次に、第１の一時記憶部１１５に格納された第１の音声スペクトル情報の次の第１の音声スペクトル情報を取り出し（ｉの値を１インクリメントした値として、第１のスペクトル情報を取り出し）、この新しい第１の音声スペクトル情報に対して、第２の一時記憶部１２５内の第２の音声スペクトル情報Ｂｊ（ｆ）の全てとの音声類似度演算を行う（ステップＳ１１２からＳ１１４）。
【００４０】
第１の一時記憶部１１５内の第１の音声スペクトル情報Ａｉ（ｆ）の全てについて音声類似度演算が完了（ステップＳ１１５）すると、ステップＳ１１６で演算した全ての音声類似度値Ｒｉ，ｊの音声類似度合計値Ｒを、次式（２）で求める。
【００４１】
【数２】
2015056507.tif 000004
【００４２】
そして、ステップＳ１１７において、裏スキャン処理で選局し検出した第２の放送受信系統１２０の放送サービスに対応づけて、サービスリスト格納部１３２に音声類似度合計値Ｒを記録する。
【００４３】
図６（ａ）から（ｃ）は、デジタル放送受信装置１００の音声類似度検出処理部１３１における音声類似度合計値Ｒの算出処理の一例を説明するための図である。図６（ａ）から（ｃ）を用いて図４の音声類似度検出処理を説明する。図６（ａ）は、第１の一時記憶部１１５に格納にされている第１の音声スペクトル情報Ａｉ（ｆ）を、時刻軸、電力軸、周波数軸の３次元で表現したものである。０番目の音声スペクトルが最も古い周波数スペクトルであり、Ｍ番目の音声スペクトルが最も新しい周波数スペクトルである。ある時刻に、ｉ番目の周波数スペクトルが第１の抽出部１１４から入力され、その音声の周波数成分は、図６（ａ）のｉ番目の周波数スペクトルになっている。
【００４４】
図６（ｂ）は、図６（ａ）と同様に、第２の一時記憶部１２５に格納されている第２の音声スペクトル情報を時刻軸、電力軸、周波数軸の３次元で表現したものである。図４のステップＳ１１１において、音声類似度検出処理部１３１は、ｉ＝０とし、最初に０番目の第１の音声スペクトル情報Ａ０（ｆ）を第１の一時記憶部１１５から取り出し、これに対して、第２の一時記憶部１２５に格納されている第２の音声スペクトル情報Ｂ０（ｆ）からＢＮ（ｆ）の全てについて、音声類似度値Ｒｉ，ｊ（すなわち、図６（ｃ）に示されるＲ０，０からＲＭ，Ｎ）を求める計算を行う。音声類似度検出処理部１３１は、最初は、ステップＳ１１２でｊ＝０となり、０番目の第２の音声スペクトル情報Ｂ０（ｆ）を第２の一時記憶部１２５から取り出し、ステップＳ１１３の演算によって音声類似度Ｒｉ，０（すなわち、Ｒ０，０）を求める。これが、図６のＰ０に対応する処理であり、音声類似度値Ｒ０，０が得られる。
【００４５】
ステップＳ１１４で、音声類似度検出処理部１３１は、第２ループ先頭に戻り、次の１番目の第２の音声スペクトル情報を第２の一時記憶部１２５から取り出し、ステップＳ１１３で音声類似度Ｒｉ，１（すなわち、Ｒ０，１）を求める。これが、図６のＰ１に対応する処理であり、音声類似度値Ｒ０，１が得られる。このようにして、音声類似度検出処理部１３１は、ステップＳ１１２からＳ１１４の第２ループの全処理が行われると、図６においては、処理Ｐ０，Ｐ１，…，Ｐｊ，…，ＰＮの処理が完了したことになり、音声類似度値Ｒ０，０，Ｒ０，１，…，Ｒ０，ｊ，…，Ｒ０，Ｎが得られる。すなわち、音声類似度検出処理部１３１は、第１の一時記憶部１１５に格納された第１の音声スペクトル情報Ａ０（ｆ）について、第２の一時記憶部１２５に格納された第２の音声スペクトル情報Ｂ０（ｆ）からＢＮ（ｆ）の全てとの間の音声類似度値Ｒ０，０，Ｒ０，１，…，Ｒ０，ｊ，…，Ｒ０，Ｎのそれぞれを得る。
【００４６】
次に、ステップＳ１１５において、音声類似度検出処理部１３１は、第１ループの先頭に戻り、ステップＳ１１１において、ｉの値を１インクリメントし（すなわち、ｉ＝１とし）、第１の一時記憶部１１５から次の１番目の第１の音声スペクトル情報Ａ１（ｆ）を取り出す。そして、音声類似度検出処理部１３１は、ステップＳ１１２からステップＳ１１４の第２ループの処理により、音声類似度値Ｒ１，１，…，Ｒ１，ｊ，…，Ｒ１，Ｎを得る。このように、音声類似度検出処理部１３１が行う第１ループは、第１の一時記憶部１１５内の第１の音声スペクトル情報Ａｉ（ｆ）の全てと、第２の一時記憶部１２５内の第２の音声スペクトル情報Ｂｊ（ｆ）の全てとの間の音声類似度を順に求める。第１ループの全処理が完了すると、音声類似度検出処理部１３１は、図６（ｃ）に示す音声類似度値Ｒ０，０からＲＭ，Ｎまでの音声類似度値を得る。音声類似度検出処理部１３１は、ステップＳ１１６で、音声類似度値Ｒ０，０からＲＭ，Ｎまでの合計値である音声類似度合計値Ｒを求める。音声類似度合計値Ｒは、ある時間内に第１の一時記憶部１１５に格納された視聴中の番組の音声スペクトル情報と同じある時間内に第２の一時記憶部１２５に第２の放送受信系統１２０が行う裏スキャン処理で選局されたある放送サービスの番組音声スペクトル情報との音声類似度を表す値となっている。もしもこれらの番組が同一番組であれば、音声類似度合計値Ｒは、著しく大きな値となる。通常、これらの番組の間には、数秒の時間差があるが、第１の一時記憶部１１５と第２の一時記憶部１２５との間には、数秒分の第１の音声スペクトル情報を格納できるサイズとなっているため、図４における第１ループ（ステップＳ１１１からＳ１１５）及び第２ループ（ステップＳ１１２からＳ１１４）の処理を行うことで、同一音声シーンが検出でき、この場合も音声類似度合計値Ｒは、著しく大きな値となる。音声類似度検出処理部１３１は、このようにして求めた音声類似度合計値Ｒを、サービスリスト格納部１３２に第２の放送受信系統１２０で受信中の放送サービスに関連付けて格納する（ステップＳ１１７）。
【００４７】
その後、音声類似度検出処理部１３１は、第２の放送受信系統１２０にて裏スキャン処理で選局されていたチャンネルが次のチャンネルに選局され、新たに別の放送サービスが受信できると、この新たな放送サービスに対する視聴中の番組との音声類似度合計値Ｒの演算処理とサービスリストへの音声類似度合計値Ｒの格納処理をステップＳ１１１からステップＳ１１７で行う。このようにして、音声類似度検出処理部１３１は、全受信可能な放送サービスについて、視聴中の番組との音声類似度がサービスリスト格納部１３２内のサービスリストに順次格納する。
【００４８】
次に、ステップＳ１１３における演算について説明する。音声類似度検出処理部１３１は、ある周波数ｆについて第１の一時記憶部１１５に格納されたｉ番目の第１の音声スペクトル情報Ａｉ（ｆ）と第２の一時記憶部１２５に格納されたｊ番目の第２の音声スペクトル情報Ｂｊ（ｆ）の積を演算し、この演算を全周波数成分に対して行い、その合計があるｉ及びｊに対する音声類似度値Ｒｉ，ｊとなる。なお、同一番組であったとしても、音声レベルが異なる場合や、異なる音声エンコード方式で放送されている場合には、音声スペクトル情報の絶対値が異なる場合が考えられる。そのような場合を想定し、音声類似度検出処理部１３１は、第１の音声スペクトル情報Ａｉ（ｆ）及び第２の音声スペクトル情報Ｂｊ（ｆ）に、それぞれの各周波数における音声スペクトル情報を、合計した全電力値で割ることによって正規化した音声スペクトル情報を用いるようにしてもよい。
【００４９】
以上の積和演算動作について、図５（ａ）から（ｄ）を用いて説明する。図５（ａ）から（ｄ）においては、第１の音声スペクトル情報Ａｉ（ｆ）及び第２の音声スペクトル情報Ｂｊ（ｆ）の平均値をゼロレベルとして図示したものである。図５（ａ）は、視聴中の番組の第１の音声スペクトル情報Ａ（ｆ）のうちあるｉ番目の第１の音声スペクトル情報Ａｉ（ｆ）を横軸周波数として各周波数成分の電力値を示している。図５（ｂ）は、第２の放送受信系統１２０が行う裏スキャン処理で選局し検出したある番組の第２の音声スペクトル情報Ｂ（ｆ）であり、左の列においては、そのうちの最初（０番目）のＢ０（ｆ）を取り出し、その各周波数成分の電力値を図示している。そして、図５（ｃ）においては、ステップＳ１１３の演算においてＡｉ（ｆ）及びＢ０（ｆ）の各同一周波数成分をかけ算した値を図示している。図５（ｄ）においては、図５（ｃ）で得られたＡｉ（ｆ）・Ｂ０（ｆ）の各周波数成分を全周波数に渡って（図５（ａ）から（ｄ）においては、矢印の数に等しい８個の周波数について）足し算した値を記載している。
【００５０】
同様に、左から２列目は、第１の一時記憶部１１５に格納されたｉ番目の第１の音声スペクトル情報Ａｉ（ｆ）と第２の一時記憶部１２５に格納された１番目の第２の音声スペクトル情報Ｂ１（ｆ）に対して同様のステップＳ１１３の積和演算したものを示している。
【００５１】
図５（ａ）から（ｄ）は、このように第２の一時記憶部１２５に格納された全ての第２の音声スペクトル情報とのステップＳ１１３の積和演算を行っていく様子を示している。図５（ａ）から（ｄ）の左から２番目の列に示されるように、第１の音声スペクトル情報Ａｉ（ｆ）と第２の音声スペクトル情報Ｂ１（ｆ）とが完全に一致した場合には、図５（ｄ）に示される値（実施の形態１における音声類似度値）が最も大きくなり、両音声スペクトルの類似度が最も高くなる。一方、同一番組でない場合は、図５（ｄ）に示される値（実施の形態１における音声類似度値）は、小さな値になり、両音声スペクトルの類似度が低くなる。第２の一時記憶部１２５内に視聴中の番組のあるシーンと同一番組のシーンが存在する場合は、このように図５（ｄ）の値が顕著に大きな値となる。以上に説明したように、ステップＳ１１３の演算により同一番組であると判定された番組を検出することができる。
【００５２】
ステップＳ１１６で、全ての音声類似度値Ｒｉ，ｊの音声類似度合計値Ｒを求めているが、真に同一番組である場合には、複数のシーンで音声類似度が高くなるため音声類似度合計値Ｒは、大きな値となり、偶然に特定のシーンの音声類似度が高かったことだけで同一番組と誤判定してしまうことを防ぐ効果がある。
【００５３】
図７（ａ）及び（ｂ）は、実施の形態１に係るデジタル放送受信装置１００の第１の一時記憶部１１５に記憶された第１の音声スペクトル情報と第２の一時記憶部１２５に記憶された第２の音声スペクトル情報との間の時間差と、音声類似度合計値Ｒとを示す図である。次に、ステップＳ１１６で音声類似度合計値Ｒを求める効果について説明する。同一番組においては、番組間の遅延差が大きい場合が、図７（ａ）であり、遅延差が小さい場合が、図７（ｂ）である。番組間の遅延差が小さい場合は、番組間の遅延差が大きい場合に比べて音声類似度合計値Ｒが大きくなることがわかる。従って、第１の選局制御部１１３が同一番組の選局先を選択する際に、音声類似度合計値Ｒの大きな値を選択することでより、遅延の少ない番組に自動切換えすることができ、視聴者（ユーザ）が持つ違和感を小さくすることができる効果がある。
【００５４】
以上に説明したように、実施の形態１に係るデジタル放送受信装置１００及び選局方法によれば、視聴中の番組の音声スペクトルと類似する音声スペクトルを持つ番組、すなわち、同一番組であると判定された番組を放送するチャンネルを検出し、視聴中の番組の受信状況が悪化したときに、同一番組であると判定された番組を放送するチャンネルに自動的に選局することができる。すなわち、第１の音声スペクトル情報と第２の音声スペクトル情報により同一番組であると判定される番組を検出するようにしたので、放送方式や付加情報送出運用状況に依存せずに同一番組である可能性が高い番組を検出することができる。このように、実施の形態１に係るデジタル放送受信装置１００によれば、視聴中の番組の受信状況が悪化したときであっても、視聴者は、良好な受信状況で、同一番組であると判定された他のチャンネルの番組を視聴し続けることができるという効果がある。
【００５５】
また、第１の抽出部１１４及び第２の抽出部１２４においては、音声圧縮ストリーム中のＭＤＣＴ係数を抽出し音声類似度演算に使用するようにしたため、第２の放送受信系統１２０で音声デコード処理が不要にでき第２の音声デコーダが不要で、低ＣＰＵ負荷で同一番組の検出を行うことができる効果がある。なお、ＭＤＣＴ係数は、デジタル放送で送信される各種音声符号化ストリームに一般的に使用されており放送方式が異なる場合でもＭＤＣＴ係数を使用することで、放送規格に依存せず、同一処理で効率的に低ＣＰＵ負荷で音声スペクトル情報を収集することができる効果がある。
【００５６】
さらに、第１の一時記憶部１１５及び第２の一時記憶部１２５を設け、これらの記憶部内で時間方向にずれた音声スペクトル情報の音声類似度値を演算するようにしたので、視聴中の番組と他のチャンネルにおける同一番組間で遅延があった場合でも、同一番組を検出することができる効果がある。
【００５７】
さらにまた、音声類似度検出処理部１３１は、ステップＳ１１３（図４）の演算を行うようにしたので、同一番組を検出することができる効果がある。
【００５８】
また、音声類似度検出処理部１３１は、ステップＳ１１６で全ての音声類似度値Ｒｉ，ｊの音声類似度合計値Ｒを求め、この音声類似度合計値Ｒをサービスリスト格納部１３２に放送サービスに関連付け記録するようにし、第１の選局制御部１１３で音声類似度合計値Ｒの大きな放送サービスを同一番組と判定するようにしたので、偶然に特定のシーンだけの音声類似度が高かったことだけで同一番組と誤判定してしまうことを防ぐ効果がある。
【００５９】
また、音声類似度検出処理部１３１は、ステップＳ１１６で全ての音声類似度値Ｒｉ，ｊの音声類似度合計値Ｒを求め、第１の選局制御部１１３が同一番組選局先を選択する際に音声類似度合計値Ｒの大きな値を選択することにより、遅延の少ない番組に自動切換えすることができ、視聴者が持つ違和感を小さくすることができる効果がある。
【００６０】
実施の形態２．
図８は、本発明の実施の形態２に係るデジタル放送受信装置２００の構成を概略的に示すブロック図である。デジタル放送受信装置２００は、実施の形態２に係る選局方法を実施することができる装置である。図８に示される構成要素であって、図１に示される構成要素と同一又は対応する構成要素には、図１における符号と同じ符号を付す。図８に示される第１の放送受信系統２１０及び第２の放送受信系統２２０は、図１に示される第１の放送受信系統１１０及び第２の放送受信系統１２０とそれぞれ同じ構成とすることができる。実施の形態２に係るデジタル放送受信装置２００は、音声類似度検出処理部２３１の処理内容、サービスリスト格納部２３２に格納されるサービスリスト、及び制御部２３４が、実施の形態１に係るデジタル放送受信装置１００と相違する。
【００６１】
第２の放送受信系統２２０が行う裏スキャン処理では、物理チャンネルの全てを、例えば、物理チャンネル番号の昇順又は降順に、順次選局し、サービス情報の更新の有無を監視する。第２の放送受信系統２２０が行う裏スキャン処理によって、物理チャンネルの各々は、周期的に選局され、選局される毎に、音声類似度値Ｒｉ，ｊが算出され、さらに、音声類似度合計値Ｒが算出される。音声類似度値Ｒｉ，ｊ及び音声類似度合計値Ｒは、音声類似度を示す値Ｅ２の一例である。実施の形態１に係るデジタル放送受信装置１００においては、サービスリスト１４０又は１４１に格納される音声類似度合計値Ｒは、第２の放送受信系統１２０が行う裏スキャン処理における、全物理チャンネルの１回のスキャン中に求められた音声類似度合計値Ｒのみである。実施の形態２に係るデジタル放送受信装置２００は、複数回の裏スキャン処理によって得られた複数（例えば、Ｈ＋１個）の音声類似度合計値Ｒをサービスリスト格納部２３２にサービスリスト１４２として格納し、第１の選局制御部１１３は、複数（例えば、Ｈ＋１個）の音声類似度合計値Ｒの総和ＳＵＭに基づいて、第１のチューナ復調部１１１を制御する点が、実施の形態１に係るデジタル放送受信装置１００と相違する。
【００６２】
図９は、実施の形態２に係るデジタル放送受信装置２００のサービスリスト格納部２３２に格納されたサービスリスト１４２の一例を示す図である。サービスリスト１４２は、実施の形態１の場合と同様に、サービスリスト格納部２３２に格納される。サービスリスト１４２には、複数回の裏スキャン処理の結果を用いて演算した音声類似度合計値Ｒを記録する。実施の形態２においては、複数の音声類似度合計値ＲのそれぞれをＲ［ｋ］（ｋ＝０，１，２，…，Ｈ）で表す。ｋ＋１回目の裏スキャン処理の結果を用いて演算した音声類似度合計値Ｒは、Ｒ［ｋ］である。初回の裏スキャン処理の結果を用いて演算した音声類似度合計値Ｒは、Ｒ［０］であり、２回目の裏スキャン処理の結果を用いて演算した音声類似度合計値Ｒは、Ｒ［１］であり、Ｈ＋１回目の裏スキャン処理の結果を用いて演算した音声類似度合計値ＲはＲ［Ｈ］である。Ｈ＋１回目の裏スキャン処理の後、ｋを０に戻して、ｋ＝０の裏スキャン処理からｋ＝Ｈの裏スキャン処理までを繰り返し、音声類似度合計値Ｒ［０］，Ｒ［１］，…，Ｒ［Ｈ］の各々を更新（上書き保存）し、リングバッファの記録動作を実行する。さらに、サービスリスト１４２には、これら複数回の音声類似度合計値Ｒ［ｋ］（ｋ＝０，１，２，…，Ｈ）を合計した項目列として、複数回の音声類似度合計値Ｒ［０］，Ｒ［１］，…，Ｒ［Ｈ］の総和ＳＵＭの項目列を追加している。複数回の音声類似度合計値の総和ＳＵＭは、次式（３）で算出することができる。総和ＳＵＭは、音声類似度を示す値Ｅ２の一例である。
【００６３】
【数３】
2015056507.tif 000005
【００６４】
図１０は、実施の形態２に係るデジタル放送受信装置２００の音声類似度検出処理部２３１の動作を概略的に示すフローチャートである。図１０に示されるステップであって、図４に示されるステップと同一又は対応するステップには、図４における符号と同じ符号を付す。図１０に示されるように、実施の形態２に係るデジタル放送受信装置２００においては、ステップＳ２１１において第３ループを開始し、第３ループ（ステップＳ２１１とＳ２１２の間）の中で、図４に示されるステップと同様の処理を実施する。音声類似度検出処理部２３１は、図１０の音声類似度検出処理を実行する。図１０のステップＳ１１７においてサービスリスト格納部２３２に放送サービスと対応づけて音声類似度合計値Ｒ［ｋ］を記録するが、その際、実施の形態１の場合と異なり、前回の音声類似度合計値Ｒに上書きせず、追加記録する。そして、Ｈ＋１回分の音声類似度合計値Ｒの総和ＳＵＭを計算し（ステップＳ２１３）、サービスリスト１４２の音声類似度合計値の総和の欄に格納する（ステップＳ２１４）。
【００６５】
図１１は、実施の形態２に係るデジタル放送受信装置２００の第１の選局制御部１１３の動作を概略的に示すフローチャートである。図１１に示されるように、デジタル放送受信装置２００の第１の選局制御部１１３は、受信監視部１３３から受信状況の悪化を知らせる通知信号（受信悪化通知）Ｇ１を受信すると（ステップＳ２０１）、サービスリスト格納部２３２のサービスリスト１４２を参照し、サービス情報に関連付けて記録してある音声類似度合計値の総和ＳＵＭを参照し、最も音声類似度合計値の総和ＳＵＭが高い放送サービスを抽出する（ステップＳ２０２）。第１の選局制御部１１３は、抽出した音声類似度合計値の総和ＳＵＭがある閾値（例えば、予め決められた閾値）よりも大きい場合（ステップＳ２０３）、その放送サービスに対応して記憶している物理チャンネル番号をサービスリスト１４２から取得し、その物理チャンネル番号の放送局（中継局）の選局を第１のチューナ復調部１１１に指示する（ステップＳ２０４）。その後、サービスリスト１４２から音声類似度合計値Ｒ［ｋ］及びその総和ＳＵＭをクリアする（ステップＳ２０５）。
【００６６】
以上に説明したように、実施の形態２に係るデジタル放送受信装置２００及び選局方法においては、サービスリスト１４２に複数回の選局時の各音声類似度合計値Ｒ［ｋ］をそれぞれ記憶し、音声類似度合計値Ｒ［ｋ］の総和ＳＵＭを保持し、第１の選局制御部１１３は、受信状況の悪化時にこの総和ＳＵＭを参照し音声類似度が最も高い（すなわち、最も類似している音声の）放送サービスを自動選局するようにした。このため、異なる番組であるにもかかわらず、ある数秒間の音声類似度が高いシーンが含まれていた場合であっても、複数の音声類似度合計値Ｒ［ｋ］を評価対象にしているため、同一番組の誤検出を減らすことができる。
【００６７】
例えば、異なる番組に、数秒間の無音のシーンがそれぞれ存在した場合であって、その前の過去Ｈ回分の音声類似度合計値Ｒ［ｋ］を参照するため同一番組と誤判定する恐れを小さくすることができる。
【００６８】
また、同一番組であってもＣＭ期間のみ地域に依存したコンテンツを放送するケースがあるが、このような場合、実施の形態１においては、ＣＭ期間の評価に基づいて同一番組であるという判定を得ることができない。これに対し、実施の形態２に係るデジタル放送受信装置２００においては、Ｈ＋１回分の音声類似度合計値Ｒ［ｋ］を参照するため、異なるＣＭ放送を含む番組間であっても、同一番組であると判定することが可能である。このように、実施の形態２によれば、同一番組判定の誤検出を減らし、検出結果の信頼性を向上させることができる効果がある。
【００６９】
実施の形態３．
図１２は、本発明の実施の形態３に係るデジタル放送受信装置３００の構成を概略的に示すブロック図である。デジタル放送受信装置３００は、実施の形態３に係る選局方法を実施することができる装置である。図１２に示される構成要素であって、図１に示される構成要素と同一又は対応する構成要素には、図１における符号と同じ符号を付す。図１２に示される第１の放送受信系統３１０及び第２の放送受信系統３２０は、図１に示される第１の放送受信系統１１０及び第２の放送受信系統１２０とそれぞれ同じ構成とすることができる。実施の形態３に係るデジタル放送受信装置３００は、音声類似度検出処理部３３１の処理内容、サービスリスト格納部３３２に格納されるサービスリスト、及び制御部３３４が、実施の形態１に係るデジタル放送受信装置１００と相違する。
【００７０】
図１３は、実施の形態３に係るデジタル放送受信装置３００の音声類似度検出処理部３３１の動作を概略的に示すフローチャートである。図１３に示されるステップであって、図４に示されるステップと同一又は対応するステップには、図４における符号と同じ符号を付す。図１３に示されるように、実施の形態３に係るデジタル放送受信装置３００においては、ステップＳ３１３における計算を次式（４）で行う点が、実施の形態１に係るデジタル放送受信装置１００と相違する。
【００７１】
【数４】
2015056507.tif 000006
ここで、Ｆ０及びＦｐはそれぞれ、式（４）の計算で用いる周波数ｆの最小値と最大値であり、式（４）において周波数ｆとして、最小値Ｆ０から最大値Ｆｐまでの所定数個の周波数が用いられる。なお、所定数個は、後述の図１４（ａ）から（ｄ）のＡｉ（ｆ）（ｉ＝０，１，２，…，Ｍ）及びＢｊ（ｆ）（ｊ＝０，１，２，…，Ｎ）においては、８個（矢印の本数）である。
【００７２】
ステップＳ３１３における式（４）の演算について説明する。ある周波数ｆについて第１の一時記憶部１１５に格納されたｉ番目の第１の音声スペクトル情報Ａｉ（ｆ）と第２の一時記憶部１２５に格納されたｊ番目の第２の音声スペクトル情報Ｂｊ（ｆ）の差を演算し、この演算を、全周波数成分（図１４（ａ）から（ｄ）においては、８個の周波数成分）に対して行い、その合計があるｉ及びｊに対する音声類似度値Ｒｉ，ｊとなる。なお、同一番組であったとしても、音声レベルが異なる場合や、異なる音声エンコード方式で放送されている場合には、音声スペクトル情報の絶対値が異なる場合が考えられる。そのような場合を想定し、第１の音声スペクトル情報Ａｉ（ｆ）及び第２の音声スペクトル情報Ｂｊ（ｆ）に、それぞれの各周波数における音声スペクトル情報を合計した全電力値で割ることによって得られた正規化した音声スペクトル情報を用いるようにしてもよい。
【００７３】
図１４（ａ）から（ｄ）は、実施の形態３に係るデジタル放送受信装置３００の音声類似度検出処理部３３１における第１の音声スペクトル情報と第２の音声スペクトル情報との間の音声類似度検出動作を説明するための図である。図１４においては、第１の音声スペクトル情報Ａｉ（ｆ）及び第２の音声スペクトル情報Ｂｊ（ｆ）の平均値をゼロレベルとして図示している。図１４（ａ）は、視聴中の番組の第１の音声スペクトル情報Ａ（ｆ）のうちあるｉ番目の第１の音声スペクトル情報Ａｉ（ｆ）を横軸周波数として各周波数成分の電力値を示している。図１４（ｂ）は、第２の放送受信系統３２０が行う裏スキャン処理で選局し検出したある番組の第２の音声スペクトル情報Ｂ（ｆ）であり、最も左の列においては、そのうちの最初（０番目）のＢ０（ｆ）を取り出しその各周波数成分の電力値を図示している。そして、図１４（ｃ）においては、ステップＳ３１３の演算においてＡｉ（ｆ）及びＢ０（ｆ）の各同一周波数成分の差分を図示している。図１４（ｄ）においては、図１４（ｃ）で得られた（Ａｉ（ｆ）−Ｂ０（ｆ））の絶対値｜Ａｉ（ｆ）−Ｂ０（ｆ）｜を、全周波数分について合計した値を記載している。
【００７４】
同様に、図１４（ａ）から（ｄ）の左から２列目は、第１の一時記憶部１１５に格納されたｉ番目の第１の音声スペクトル情報Ａｉ（ｆ）と第２の一時記憶部１２５に格納された１番目の第２の音声スペクトル情報Ｂ１（ｆ）に対して同様にステップＳ３１３の演算結果を示している。
【００７５】
図１４（ａ）から（ｄ）は、このように第２の一時記憶部１２５に格納された全ての第２の音声スペクトル情報Ｂｊ（ｆ）とのステップＳ３１３の演算を行う処理を示している。図１４（ａ）から（ｄ）における左から２番目の列においては、第１の音声スペクトル情報Ａｉ（ｆ）と第２の音声スペクトル情報Ｂ１（ｆ）とが完全に一致した場合であるが、この場合、図１４（ｄ）の値がほぼ０になり、最も小さくなる。一方、第１の音声スペクトル情報Ａｉ（ｆ）と第２の音声スペクトル情報Ｂ１（ｆ）とが同一番組のものではない場合は、図１４（ｄ）の結果は、大きな値になる。第２の一時記憶部１２５に視聴中の番組のあるシーンと同一番組のシーンが存在する場合は、このように図１４（ｄ）の値が顕著に小さな値となる。以上に説明したように、ステップＳ３１３の演算により同一番組の検出を行うことができる。
【００７６】
ステップＳ１１６で全ての音声類似度値Ｒｉ，ｊの音声類似度合計値Ｒを求めているが、真に同一番組である場合には、複数のシーンで音声類似度が高くなるため音声類似度合計値Ｒは小さな値となる。実施の形態３によれば、偶然に特定のシーンの音声類似度が高かったこと（すなわち、実施の形態３においては、音声類似度値Ｒが予め決められた閾値よりも小さかったこと）だけで同一番組と誤判定してしまうことを防ぐ効果がある。
【００７７】
さらに、実施の形態３によれば、実施の形態１の場合と同様に、同一番組においては、番組間の遅延差が小さい場合は、遅延差が大きい場合に比べて音声類似度合計値Ｒがより小さくなる傾向がある。従って、第１の選局制御部１１３が同一番組として選局するチャンネル（選局先）を選択する際に、音声類似度合計値Ｒの小さな値を選択することで、より遅延の少ない番組に自動的に切換えることができ、視聴者が持つ違和感を小さくすることができる効果がある。この音声類似度合計値Ｒは、音声類似度を示す値Ｅ３の一例である。
【００７８】
また、ステップＳ３１３の差分和演算は、減算と加算のみであり、実施の形態１の場合におけるステップＳ１１３（図４）の積和演算と比べると、演算ハードウェアやＤＳＰ（Ｄｉｇｉｔａｌ  Ｓｉｇｎａｌ  Ｐｒｏｃｅｓｓｏｒ）が不要であり、マイクロプロセッサ上のソフトウェアのみで計算可能な低演算負荷で実現することができる効果がある。
【００７９】
実施の形態４．
図１５は、本発明の実施の形態４に係るデジタル放送受信装置４００の構成を概略的に示すブロック図である。デジタル放送受信装置４００は、実施の形態４に係る選局方法を実施することができる装置である。図１５に示される構成要素であって、図１に示される構成要素と同一又は対応する構成要素には、図１における符号と同じ符号を付す。図１５に示される第１の放送受信系統４１０及び第２の放送受信系統４２０は、図１に示される第１の放送受信系統１１０及び第２の放送受信系統１２０とそれぞれ同じ構成とすることができる。実施の形態４に係るデジタル放送受信装置４００は、音声類似度検出処理部４３１の処理内容、サービスリスト格納部４３２に格納されるサービスリスト、及び制御部４３４が、実施の形態１に係るデジタル放送受信装置１００と相違する。
【００８０】
図１６は、実施の形態４に係るデジタル放送受信装置４００の音声類似度検出処理部４３１の動作を概略的に示すフローチャートである。実施の形態１から３においては、音声類似度検出処理部１３１，２３１，３３１における音声類似度検出処理において、第１の音声スペクトル情報と第２の音声スペクトル情報との間の音声類似度値Ｒｉ，ｊを、図４のステップＳ１１３及び図１３のステップＳ３１３に示されるように、各周波数ｆの音声スペクトル情報の音声類似度値Ｒｉ，ｊを全周波数分（図５（ａ）から（ｄ）及び図１４（ａ）から（ｄ）においては、８個の周波数についての音声類似度値）を合計することにより求めた。しかし、音声類似度値Ｒｉ，ｊを無音部分の発生間隔及び無音期間の特徴検出から求めてもよい。実施の形態４に係るデジタル放送受信装置４００は、音声類似度検出処理部４３１における音声類似度検出処理が、図１６に示されるように、無音部分の特徴検出による音声類似度検出処理を行う点が、実施の形態１から３に係るデジタル放送受信装置１００，２００，３００と異なる。
例えば、音声類似度検出処理部４３１は、第１の一時記憶部１１５に格納された第１の音声スペクトル情報のうちｉ番目（ｉは０以上の整数）の第１の音声スペクトル情報部分を取り出し、ｉ番目の第１の音声スペクトル情報部分Ａｉ（ｆ）の各周波数成分を全周波数分合計した電力値を求め、この電力値が、ある無音閾値よりも小さい場合に、取り出された第１の音声スペクトル情報部分を第１の無音部分と判定する処理を、第１の音声スペクトル情報部分の各々について順に行う。また、音声類似度検出処理部４３１は、第２の一時記憶部１２５に格納された第２の音声スペクトル情報のうちｊ番目（ｊは０以上の整数）の第２の音声スペクトル情報部分を取り出し、ｊ番目の第２の音声スペクトル情報部分Ｂｊ（ｆ）の各周波数成分を全周波数分合計した電力値を求め、この電力値が、ある無音閾値よりも小さい場合に、取り出された第２の音声スペクトル情報部分を無音部分と判定する処理を、第２の音声スペクトル情報部分の各々について順に行う。そして、音声類似度検出処理部４３１は、第１の無音部分の期間である第１の無音期間と次の第１の無音期間との間の第１の時間間隔と、連続する複数の第１の無音期間からなる第１の無音継続期間と、第２の無音部分の期間である第２の無音期間と次の第２の無音期間との間の第２の時間間隔と、連続する複数の第２の無音期間からなる第２の無音継続期間とから、音声類似度を示す値を求める。
【００８１】
実施の形態４における音声類似度検出処理部４３１は、図１６のステップＳ４１１において、第１の一時記憶部１１５に格納された第１の音声スペクトル情報のうちｉ番目（ｉ＝０，１，２，…，Ｍ）の第１の音声スペクトル情報部分Ａｉ（ｆ）を取り出し、ステップＳ４１２において、無音部分（第１の無音部分）の検出を行う。音声類似度検出処理部４３１は、ｉ番目の第１の音声スペクトル情報部分Ａｉ（ｆ）の各周波数成分を全周波数分合計した電力値を求め、この合計した電力値が、ある無音閾値（例えば、予め設定された閾値）よりも小さい場合に、無音（無音部分）であると判定する。無音部分と判定した場合、音声類似度検出処理部４３１は、ステップＳ４１３において、前回、すなわち、ｉ−１番目の音声データが無音部分であったかどうかをチェックする。無音であった場合、音声類似度検出処理部４３１は、ステップＳ４１４において、第１の無音期間リストに無音期間を１つ追加し、音声類似度検出処理部４３１が保持している第１の無音期間リストを更新する。ここで、第１の無音期間リストは、無音期間（第１の無音期間）の開始時におけるｉ（０からＭまでの整数）と無音継続期間（第１の無音継続期間）とで表現される無音期間を複数個集め、複数個の無音期間についての情報をテーブルとしたものである。ステップＳ４１２において無音ではないと判定された場合は、音声類似度検出処理部４３１は、無音期間が終了したと判定する。このようにして、音声類似度検出処理部４３１は、ステップＳ４１１からＳ４１５の処理により、第１の一時記憶部１１５に格納された全音声スペクトル情報の無音継続期間及び無音発生間隔（第１の時間間隔）を、第１の無音期間リストとして蓄積する。
【００８２】
同様に、音声類似度検出処理部４３１は、ステップＳ４１６からＳ４２０の処理により、第２の一時記憶部１２５に格納された全音声スペクトル情報の無音継続期間（第２の無音継続期間）及び無音発生間隔（第２の時間間隔）を、第２の無音期間リストとして蓄積する。
【００８３】
次に、音声類似度検出処理部４３１は、ステップＳ４２１において、第１の無音期間リストと第２の無音期間リストとの間の無音情報の音声類似度値を計算する。この音声類似度値の計算は、例えば、第１の無音期間リスト及び第２の無音期間リストから無音を０、非無音を１と表現し、時系列に並べた数列でそれぞれを表し、それらの相関を求め、相関値を音声類似度値として用いる方法がある。ただし、音声類似度値の算出は、他の方法であってもよい。
【００８４】
次に、音声類似度検出処理部４３１は、ステップＳ４２１で求めた無音情報の音声類似度値を、ステップＳ４２２でサービスリスト格納部４３２内のサービスリスト１４０の音声類似度合計値Ｒ（図２（ａ））、又は、サービスリスト１４２（図９）の音声類似度合計値Ｒ及び総和ＳＵＭに格納する。
【００８５】
上記した以外の動作及び効果については、実施の形態４は、実施の形態１及び２と同じである。
【００８６】
以上に説明したように、実施の形態４に係るデジタル放送受信装置４００及び選局方法によれば、各番組音声の無音継続期間と無音発生間隔の類似性から、音声類似度値を検出し、これを番組類似度として用いるようにしたので、無音シーンの多い番組における同一番組検出の信頼性を向上させることができる効果がある。
【００８７】
実施の形態５．
図１７は、本発明の実施の形態５に係るデジタル放送受信装置５００の構成を概略的に示すブロック図である。デジタル放送受信装置５００は、実施の形態５に係る選局方法を実施することができる装置である。図１７に示される構成要素であって、図１に示される構成要素と同一又は対応する構成要素には、図１における符号と同じ符号を付す。図１７に示される第１の放送受信系統５１０及び第２の放送受信系統５２０は、図１に示される第１の放送受信系統１１０及び第２の放送受信系統１２０とそれぞれ同じ構成とすることができる。
【００８８】
実施の形態１から４においては、音声類似度検出処理部１３１，２３１，３３１，４３１における音声類似度検出処理について、第１の一時記憶部１１５及び第２の一時記憶部１２５の中を、例えば、古い音声スペクトル情報から順に検索し音声類似度の高いものを後に検出していた。しかし、第２の放送受信系統が行う裏スキャン処理における数秒間の選局時に同一番組であるか否かを判定可能にするためには、処理時間を短くすることが望ましい。そのため、実施の形態５に係るデジタル放送受信装置５００においては、第１の一時記憶部１１５内の第１の音声スペクトル情報の全てについて、第２の一時記憶部１２５内の第２の音声スペクトル情報の全てを検索するという手法を採用せずに、まず、第１の一時記憶部１１５内の第１の音声スペクトル情報の内の格納された順番が中央（概ね中央付近）の第１の音声スペクトル情報について第２の一時記憶部１２５内の第２の音声スペクトル情報を検索する。そして、閾値よりも大きい音声類似度値を持つ音声スペクトル情報が検出できた時点で検索を中断する。検出した音声スペクトル情報について、第２の一時記憶部１１５内における格納順と、第１の一時記憶部１１５内における格納順との相対位置の関係に応じて、次に、音声類似度評価に使用する第１の一時記憶部１１５内の第１の音声スペクトル情報の取り出し位置を決定し、２回目の音声類似度評価を行う。このようにして、３回目の音声類似度評価の実行完了時に、３回とも音声類似度値が閾値を超えた場合、第２の放送受信系統５２０における選局中の放送サービスを第１の放送受信系統５１０で視聴中の放送サービスと同一番組を実施している放送サービスとして、サービスリスト格納部５３２にサービスリストの一部として格納する。
【００８９】
図１８は、実施の形態５に係るデジタル放送受信装置５００の音声類似度検出処理部５３１における第１の音声スペクトル情報と第２の音声スペクトル情報との間の音声類似度検出動作（第２の音声スペクトル情報が第１の音声スペクトル情報よりも時間的に早い時刻に格納された場合の動作）を説明するための図である。図１９は、実施の形態５に係るデジタル放送受信装置５００の音声類似度検出処理部５３１における第１の音声スペクトル情報と第２の音声スペクトル情報との間の音声類似度検出動作（第２の音声スペクトル情報が第１の音声スペクトル情報よりも時間的に遅い時刻に格納された場合の動作）を説明するための図である。図２０は、実施の形態５に係るデジタル放送受信装置５００の音声類似度検出処理部５３１の動作を概略的に示すフローチャートである。ここでは、第１の一時記憶部１１５及び第２の一時記憶部１２５に格納された各第２の音声スペクトル情報のデータ数が４Ｎ個（Ｎは正の整数）である場合を説明する。図１８には、第１の一時記憶部１１５に格納された音声スペクトル情報と第２の一時記憶部１２５に格納された音声スペクトル情報が、同一番組の音声スペクトル情報が格納されている場合を図示している。図１８に示されるように、２つの番組間には、遅延差があり第２の一時記憶部１２５の音声スペクトル情報のほうが時間的に早く送出されたため、格納時刻に一定の遅延差（番組間遅延差）が生じている。また、図１９には、第１の一時記憶部１１５に格納された音声スペクトル情報と第２の一時記憶部１２５に格納された音声スペクトル情報が、同一番組の音声スペクトル情報が格納されている場合を図示している。図１９に示されるように、２つの番組間には、遅延差があり第２の一時記憶部１２５の音声スペクトル情報のほうが時間的に遅く送出されたため、格納時刻に一定の遅延差（番組間遅延差）が生じている。
【００９０】
次に、音声類似度検出処理部５３１の処理を説明する。図２０に示されるように、まず、音声類似度検出処理部５３１は、第１の一時記憶部１１５から、ｉ＝２Ｎ番目の第１の音声スペクトル情報Ａｉ（ｆ）を取り出す（ステップＳ５１１，Ｓ５１２）。次に、音声類似度検出処理部５３１は、ｉ＝２Ｎ番目の第１の音声スペクトル情報Ａｉ（ｆ）に対応する第２の音声スペクトル情報を、第２の一時記憶部１２５において検索する。この処理は、図２０におけるステップＳ５１３からＳ５１６のループ処理である。その中のステップＳ５１４の処理は、実施の形態３において説明した音声類似度演算処理と同一である。或いは、ステップＳ５１４の処理は、実施の形態１において説明した音声類似度演算処理におけるステップＳ１１３の処理であってもよい。或いは、ステップＳ５１４の処理は、実施の形態４において説明した処理、すなわち、各周波数の音声スペクトル情報を全周波数分合計した音声電力値について、音声電力値が近いものを類似音声スペクトル情報と判定する処理であってもよい。
【００９１】
ステップＳ５１５は、ステップＳ５１４で計算した音声類似度値Ｒｉ，ｊが予め決められた閾値より大きいかどうかを判定し、この閾値より大きければ、処理はステップＳ５１６でループの先頭に戻り、ステップＳ５１３で、第２の一時記憶部１２５から次の第２の音声スペクトル情報を取り出し、音声類似度判定が繰り返される。ステップＳ５１５において音声類似度値Ｒｉ，ｊが閾値より大きかった場合、処理はステップＳ５１７に進む。この状態は、図１８及び図１９のＰ５１に示されている。すなわち、音声類似度検出処理部５３１が、図１８及び図１９の第１の一時記憶部１１５内の音声スペクトル情報のうち２Ｎ番目の音声スペクトル情報について、第２の一時記憶部１２５を検索した結果、図１８及び図１９に記載のＦ番目（Ｆは、正の整数）の音声スペクトル情報との音声類似度値Ｒｉ，ｊ（音声類似度値Ｒ２Ｎ，Ｆ）が予め決められた閾値よりも高かったことを示している（図１８及び図１９におけるＰ５２）。この場合、検出した音声スペクトル情報は、第１の一時記憶部１１５から取り出した格納位置（ｉ＝２Ｎ）よりも時間的に早い時刻に格納された格納位置（ｊ＝Ｆ）である（すなわち、ｉ＞ｊ）。この場合、図２０のステップＳ５１７において、判定はＹＥＳとなり、ステップＳ５１８でｉ＝ｉ＋Ｎ＝３Ｎとなり、処理はステップＳ５１２に戻り、次の音声類似度演算のために新たに第１の一時記憶部１１５からｉ（＝３Ｎ）番目の第１の音声スペクトル情報Ａｉ（ｆ）を取り出す（図１８におけるＰ５４）。そして、音声類似度検出処理部５３１は、ステップＳ５１３からＳ５１５における音声類似度評価を実施する。ステップＳ５１５で閾値を超える音声類似度値Ｒｉ，ｊとなった場合（図１８のＰ５５）、処理はステップＳ５１７に進む。ステップＳ５１７においてｉ＝３Ｎ、ｊ＝Ｆ＋Ｎであるので、ｉ＞ｊの判定がＹＥＳとなり、ステップＳ５１８においてｉ＝ｉ＋Ｎ＝４Ｎとなり、処理はステップＳ５１２に戻り、次の音声類似度演算のために新たに第１の一時記憶部１１５からｉ（＝４Ｎ）番目の第１の音声スペクトル情報Ａｉ（ｆ）を取り出す（図１８におけるＰ５６）。以降同様に、音声類似度検出処理部５３１は、音声類似度演算を行なう。図１８にＰ５７で示すＦ＋２Ｎ番目の音声スペクトル情報は、音声類似度が閾値を超えたことを示している（ステップＳ５１５）。ステップＳ５１５で判定がＹＥＳとなり、ステップＳ５１７で判定がＹＥＳとなり、ステップＳ５１８でｉ＝５Ｎとなるので、ステップＳ５２０で判定がＹＥＳとなり、ステップＳ５２１でサービスリスト格納部５３２に、視聴中の放送サービスと第２の放送受信系統５２０における裏スキャン処理選局中の放送サービスが互いに同一番組実施放送サービスであることを記録する（図１８におけるＰ５８）。
【００９２】
図１９に示されるように、第２の一時記憶部１２５に格納された音声スペクトル情報が第１の一時記憶部１１５に格納された音声スペクトル情報よりも時間的に遅く送出された場合は、図２０のステップ５１７の判定がＮＯとなりステップＳ５１９により図１９のＰ５１，Ｐ５４，Ｐ５６で示されるように、第１の一時記憶部１１５から評価対象の音声スペクトル情報として２Ｎ番目（図１９のＰ５１）、Ｎ番目（図１９のＰ５４）、０番目（図１９のＰ５６）の順に３つの評価データで音声類似度の評価を行う。そして、いずれの音声類似度も閾値を超えた場合（ステップＳ５１５）、ステップＳ５２１でサービスリスト格納部１３２に、視聴中の放送サービスと第２の放送受信系統５２０における裏スキャン処理選局中の放送サービスが互いに同一番組実施放送サービスとして記録する（図１９のＰ５８）。
【００９３】
以上に説明したように、実施の形態５に係るデジタル放送受信装置５００及び選局方法においては、第１の一時記憶部１１５に格納された第１の音声スペクトル情報の全てに対してではなく、３つの第１の音声スペクトル情報だけで、第２の放送受信系統５２０で受信中の音声スペクトル情報との類似評価を可能にしているので、同一番組の検出時間を短縮することができるという効果がある。これは、第２の放送受信系統５２０においては、裏スキャン処理で選局が維持される期間は数秒間の短時間であるため、この間における同一番組の検出を実現するために有効である。
【００９４】
また、最初に第１の一時記憶部１１５内の格納位置が中央付近の音声スペクトル情報に対する類似音声スペクトル情報を、第２の一時記憶部１２５内の第２の音声スペクトル情報から検索するようにし、検出した類似音声スペクトル情報の格納位置間の相対位置関係によって、次に、評価対象とする第１の一時記憶部１１５の音声スペクトル情報の取り出し位置を適切に決定するようにしたので、効率よく同一番組を検出することができ、同一番組の検出時間を短縮することができる効果がある。これは、第２の放送受信系統５２０においては、裏スキャン処理で選局が維持される期間は、数秒間の短時間であるため、この間における同一番組検出を実現するために有効である。
【産業上の利用可能性】
【００９５】
本発明は、テレビ放送受信装置、ラジオ放送受信装置、テレビ放送又はラジオ放送の受信機能を有するパーソナルコンピュータ及び携帯端末装置、並びに、自動車又は列車などの移動体に搭載された放送受信装置などに適用可能である。
【符号の説明】
【００９６】
１００，２００，３００，４００，５００  デジタル放送受信装置、  １１０，２１０，３１０，４１０，５１０  第１の放送受信系統、  １１１  第１のチューナ復調部、  １１２  第１のデマルチプレクス部、  １１３  第１の選局制御部、  １１４  第１の抽出部、  １１５  第１の一時記憶部、  １１６  映像音声デコード部、  １２０，２２０，３２０，４２０，５２０  第２の放送受信系統、  １２１  第２のチューナ復調部、  １２２  第２のデマルチプレクス部、  １２３  第２の選局制御部、  １２４  第２の抽出部、  １２５  第２の一時記憶部、  １３１，２３１，３３１，４３１，５３１  音声類似度検出処理部、  １３２，２３２，３３２，４３２，５３２  サービスリスト格納部、  １３３  受信監視部、  １３４，２３４，３３４，４３４，５３４  制御部、  １４０，１４１，１４２  サービスリスト、  Ｃ４  第１の音声スペクトル情報、  Ｄ４  第２の音声スペクトル情報、  Ｅ１，Ｅ２，Ｅ３，Ｅ４，Ｅ５  音声類似度を示す値、  Ｒｉ，ｊ  音声類似度値、  Ｒ，Ｒ［ｋ］  複数の音声類似度値の合計値（音声類似度合計値）、  ＳＵＭ  複数の音声類似度合計値の総和、  Ｇ１  通知信号、  Ｆ１  制御信号、  ＲＦ  放送波。
【図１】
2015056507.tif 000007
【図２】
2015056507.tif 000008
【図３】
2015056507.tif 000009
【図４】
2015056507.tif 000010
【図５】
2015056507.tif 000011
【図６】
2015056507.tif 000012
【図７】
2015056507.tif 000013
【図８】
2015056507.tif 000014
【図９】
2015056507.tif 000015
【図１０】
2015056507.tif 000016
【図１１】
2015056507.tif 000017
【図１２】
2015056507.tif 000018
【図１３】
2015056507.tif 000019
【図１４】
2015056507.tif 000020
【図１５】
2015056507.tif 000021
【図１６】
2015056507.tif 000022
【図１７】
2015056507.tif 000023
【図１８】
2015056507.tif 000024
【図１９】
2015056507.tif 000025
【図２０】
2015056507.tif 000026
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
第１の一時記憶部を備え、放送波のチャンネルを選局し、該選局されたチャンネルの第１の符号化ストリームから第１の音声スペクトル情報を抽出し、該抽出された第１の音声スペクトル情報を前記第１の一時記憶部に格納する第１の放送受信系統と、
第２の一時記憶部を備え、放送波のチャンネルを順次選局し、該選局されたチャンネルの第２の符号化ストリームから第２の音声スペクトル情報を順次抽出し、該抽出された第２の音声スペクトル情報を前記第２の一時記憶部に順次格納する第２の放送受信系統と、
前記第１の一時記憶部に格納された前記第１の音声スペクトル情報と前記第２の一時記憶部に順次格納された前記第２の音声スペクトル情報とから、前記第１の音声スペクトル情報を含む第１の番組と前記第２の音声スペクトル情報を含む第２の番組との音声類似度を示す値を順次生成する音声類似度検出処理部と、
前記第２の放送受信系統によって抽出された付属情報と前記音声類似度検出処理部によって順次生成された前記音声類似度を示す値とを互いに対応させた情報を含むサービスリストを格納するサービスリスト格納部と、
前記第１の放送受信系統によって選局されているチャンネルの放送波の受信状況を示す値が予め設定された基準値より低くなったときに、受信状況の悪化を示す通知信号を前記第１の放送受信系統に送る受信監視部と
を有し、
前記第１の放送受信系統は、前記受信監視部から前記通知信号を受け取ったときに、前記サービスリスト格納部に格納されている前記サービスリストの前記音声類似度を示す値を参照することによって、前記第１の放送受信系統が選局しているチャンネルの番組と最も類似している番組を同一番組と判定し、選局しているチャンネルを、前記同一番組と判定されたチャンネルに切換える
ことを特徴とするデジタル放送受信装置。
【請求項２】
前記第１の放送受信系統は、
放送波のチャンネルの選局及び復調を行うことによって第１の復調信号を生成する第１のチューナ復調部と、
前記第１のチューナ復調部による選局を制御する第１の選局制御部と、
前記第１のチューナ復調部によって生成された前記第１の復調信号から前記第１の符号化ストリームを抽出する第１のデマルチプレクス部と、
前記第１のデマルチプレクス部によって抽出された前記第１の符号化ストリームをデコードするデコード部と、
前記第１のデマルチプレクス部によって抽出された前記第１の符号化ストリームから前記第１の音声スペクトル情報を抽出する第１の抽出部と、
前記第１の抽出部によって抽出された前記第１の音声スペクトル情報を一時的に格納する前記第１の一時記憶部と
を含み、
前記第２の放送受信系統は、
放送波のチャンネルの選局及び復調を行うことによって第２の復調信号を生成する第２のチューナ復調部と、
前記第２のチューナ復調部が順次チャンネルを切換えるように選局を制御する第２の選局制御部と、
前記第２のチューナ復調部によって順次生成された前記第２の復調信号から前記第２の符号化ストリーム及び放送番組に関する前記付属情報を順次抽出する第２のデマルチプレクス部と、
前記第２のデマルチプレクス部によって順次抽出された前記第２の符号化ストリームから前記第２の音声スペクトル情報を順次抽出する第２の抽出部と、
前記第２の抽出部によって順次抽出された前記第２の音声スペクトル情報を一時的に順次格納する前記第２の一時記憶部と
を含む
ことを特徴とする請求項１に記載のデジタル放送受信装置。
【請求項３】
前記第１の一時記憶部に格納される前記第１の音声スペクトル情報と前記第２の一時記憶部に格納される前記第２の音声スペクトル情報とは、互いに同じ周波数についての音声スペクトル情報を含み、
前記音声類似度検出処理部は、同じ周波数について、前記第１の音声スペクトル情報が示す電力値と前記第２の音声スペクトル情報が示す電力値とから類似度を求め、複数の周波数についての各類似度から前記音声類似度を示す値を求める
ことを特徴とする請求項１又は２に記載のデジタル放送受信装置。
【請求項４】
前記第１の一時記憶部に格納される前記第１の音声スペクトル情報は、予め決められた第１の周波数範囲内の複数の周波数についての電力値情報を含み、
前記第２の一時記憶部に格納される前記第２の音声スペクトル情報は、前記第１の周波数範囲を含む第２の周波数範囲内の複数の周波数についての電力値情報を含み、
前記音声類似度検出処理部は、前記第１の音声スペクトル情報が示すある時点の複数の周波数についての電力値と前記第２の音声スペクトル情報に含まれるある時点の複数の周波数についての電力値との類似度を求める処理を繰り返し行い、求められた全ての前記類似度から前記音声類似度を示す値を求める
ことを特徴とする請求項１又は２に記載のデジタル放送受信装置。
【請求項５】
ある物理チャンネルが前記第２の放送受信系統で選局された際に計算した前記音声類似度を示す値について、複数の選局回数分の前記音声類似度を示す値を前記サービスリスト格納部に格納し、該格納された選局回数分の前記音声類似度を示す値の総和をサービス情報と関連付けて前記サービスリスト格納部に格納することを特徴とする請求項１又は２に記載のデジタル放送受信装置。
【請求項６】
前記音声類似度検出処理部は、同じ周波数について第１の音声スペクトル情報と第２の音声スペクトル情報の差の絶対値を算出し、該算出を予め決められた周波数の全てについて繰り返し行い、該繰り返しの算出によって得られた複数の算出結果の合計値を、前記音声類似度を示す値とすることを特徴とする請求項１又は２に記載のデジタル放送受信装置。
【請求項７】
前記音声類似度検出処理部は、さらに
前記第１の一時記憶部に格納された前記第１の音声スペクトル情報のうちｉ番目（ｉは０以上の整数）の第１の音声スペクトル情報部分を取り出し、ｉ番目の第１の音声スペクトル情報部分の各周波数成分を全周波数分合計した第１の電力値を求め、前記第１の電力値が、ある無音閾値よりも小さい場合に、前記取り出された前記第１の音声スペクトル情報部分を第１の無音部分と判定する処理を、前記第１の音声スペクトル情報部分の各々について順に行い、
前記第２の一時記憶部に格納された前記第２の音声スペクトル情報のうちｊ番目（ｊは０以上の整数）の第２の音声スペクトル情報部分を取り出し、ｊ番目の第２の音声スペクトル情報部分の各周波数成分を全周波数分合計した第２の電力値を求め、前記第２の電力値が、ある無音閾値よりも小さい場合に、前記取り出された前記第２の音声スペクトル情報部分を第２の無音部分と判定する処理を、前記第２の音声スペクトル情報部分の各々について順に行い、
前記第１の無音部分の期間である第１の無音期間と次の第１の無音期間との間の第１の時間間隔と、連続する複数の前記第１の無音期間からなる第１の無音継続期間と、前記第２の無音部分の期間である第２の無音期間と次の第２の無音期間との間の第２の時間間隔と、連続する複数の前記第２の無音期間からなる第２の無音継続期間とから、前記音声類似度を示す値を求める
ことを特徴とする請求項１又は２に記載のデジタル放送受信装置。
【請求項８】
前記音声類似度検出処理部は、
前記第１の一時記憶部に格納された前記第１の音声スペクトル情報のうち格納された時間に相当する時間的な格納位置が中央にある第１の音声スペクトル情報を評価対象の音声スペクトル情報とし、該評価対象の音声スペクトル情報と音声類似度の高い音声スペクトル情報を前記第２の一時記憶部から検出する処理を行い、音声類似度が所定の閾値よりも高い音声スペクトル情報が検出できた場合に、
該検出した音声スペクトル情報の時間的な格納位置が、前記評価対象の音声スペクトル情報の時間的な格納位置よりも時間的に早い位置の場合には、前記評価対象の音声スペクトル情報の時間的な格納位置よりも時間的に後の格納位置の音声スペクトル情報を次の新たな評価対象の音声スペクトル情報として類似音声検出処理を行い、
該検出した音声スペクトル情報の時間的な格納位置が、前記評価対象の音声スペクトル情報の時間的な格納位置よりも時間的に遅い位置の場合には、前記評価対象の音声スペクトル情報の時間的な格納位置よりも時間的に前の格納位置の音声スペクトル情報を次の新たな評価対象の音声スペクトル情報として類似音声検出処理を行い、
前記複数回の類似音声検出処理のいずれにおいても、音声類似度を示す値が所定の前記閾値より高い音声スペクトル情報が検出できた場合に、同一番組を実施している放送サービスであると判定して前記サービスリスト格納部に記録する
ことを特徴とする請求項１又は２に記載のデジタル放送受信装置。
【請求項９】
前記第１の抽出部及び前記第２の抽出部は、前記符号化ストリーム中のＭＤＣＴ係数を前記第１の音声スペクトル情報又は前記第２の音声スペクトル情報として、前記第１の一時記憶部又は前記第２の一時記憶部にそれぞれ格納することを特徴とする請求項２に記載のデジタル放送受信装置。
【請求項１０】
第１の一時記憶部を備え、放送波のチャンネルを選局し、該選局されたチャンネルの第１の符号化ストリームから第１の音声スペクトル情報を抽出し、該抽出された第１の音声スペクトル情報を前記第１の一時記憶部に格納する第１の放送受信系統と、
第２の一時記憶部を備え、放送波のチャンネルを順次選局し、該選局されたチャンネルの第２の符号化ストリームから第２の音声スペクトル情報を順次抽出し、該抽出された第２の音声スペクトル情報を前記第２の一時記憶部に順次格納する第２の放送受信系統と、
を有するデジタル放送受信装置における選局方法であって、
前記第１の一時記憶部に格納された前記第１の音声スペクトル情報と前記第２の一時記憶部に順次格納された前記第２の音声スペクトル情報とから、前記第１の音声スペクトル情報を含む第１の番組と前記第２の音声スペクトル情報を含む第２の番組との音声類似度を示す値を順次生成するステップと、
前記第２の放送受信系統によって抽出された付属情報と順次生成された前記音声類似度を示す値とを互いに対応させた情報を含むサービスリストを生成してサービスリスト格納部に格納するステップと、
前記第１の放送受信系統によって選局されているチャンネルの放送波の受信状況を示す値が予め設定された基準値より低くなったときに、受信状況の悪化を示す通知信号を前記第１の放送受信系統に送るステップと、
前記第１の放送受信系統が、前記通知信号を受け取ったときに、前記サービスリスト格納部に格納されている前記サービスリストの前記音声類似度を示す値を参照することによって、前記第１の放送受信系統が選局しているチャンネルの番組と最も類似している番組を同一番組と判定し、選局しているチャンネルを、前記同一番組と判定されたチャンネルに切換えるステップと
を有することを特徴とする選局方法。
【請求項１１】
前記第１の一時記憶部に格納される前記第１の音声スペクトル情報と前記第２の一時記憶部に格納される前記第２の音声スペクトル情報とは、互いに同じ周波数についての音声スペクトル情報を含み、
前記音声類似度を示す値を順次生成するステップは、同じ周波数について、前記第１の音声スペクトル情報が示す電力値と前記第２の音声スペクトル情報が示す電力値とから類似度を求め、複数の周波数についての各類似度から前記音声類似度を示す値を求める
ことを特徴とする請求項１０に記載の選局方法。
【請求項１２】
前記第１の一時記憶部に格納される前記第１の音声スペクトル情報は、予め決められた第１の周波数範囲内の複数の周波数についての電力値情報を含み、
前記第２の一時記憶部に格納される前記第２の音声スペクトル情報は、前記第１の周波数範囲を含む第２の周波数範囲内の複数の周波数についての電力値情報を含み、
前記音声類似度を示す値を順次生成するステップは、前記第１の音声スペクトル情報が示すある時点の複数の周波数についての電力値と前記第２の音声スペクトル情報に含まれるある時点の複数の周波数についての電力値との類似度を求める処理を繰り返し行い、求められた全ての前記類似度から前記音声類似度を示す値を求める
ことを特徴とする請求項１０に記載の選局方法。
【請求項１３】
ある物理チャンネルが前記第２の放送受信系統で選局された際に計算した前記音声類似度を示す値について、複数の選局回数分の前記音声類似度を示す値を前記サービスリスト格納部に格納し、該格納された選局回数分の前記音声類似度を示す値の総和をサービス情報と関連付けて前記サービスリスト格納部に格納することを特徴とする請求項１０に記載の選局方法。
【請求項１４】
前記音声類似度を示す値を順次生成するステップにおいて、同じ周波数について第１の音声スペクトル情報と第２の音声スペクトル情報の差の絶対値を算出し、該算出を予め決められた周波数の全てについて繰り返し行い、該繰り返しの算出によって得られた複数の算出結果の合計値を、前記音声類似度を示す値とすることを特徴とする請求項１０に記載の選局方法。
【請求項１５】
前記音声類似度を示す値を順次生成するステップにおいては、さらに
前記第１の一時記憶部に格納された前記第１の音声スペクトル情報のうちｉ番目（ｉは０以上の整数）の第１の音声スペクトル情報部分を取り出し、ｉ番目の第１の音声スペクトル情報部分の各周波数成分を全周波数分合計した第１の電力値を求め、前記第１の電力値が、ある無音閾値よりも小さい場合に、前記取り出された前記第１の音声スペクトル情報部分を第１の無音部分と判定する処理を、前記第１の音声スペクトル情報部分の各々について順に行い、
前記第２の一時記憶部に格納された前記第２の音声スペクトル情報のうちｊ番目（ｊは０以上の整数）の第２の音声スペクトル情報部分を取り出し、ｊ番目の第２の音声スペクトル情報部分の各周波数成分を全周波数分合計した第２の電力値を求め、前記第２の電力値が、ある無音閾値よりも小さい場合に、前記取り出された前記第２の音声スペクトル情報部分を第２の無音部分と判定する処理を、前記第２の音声スペクトル情報部分の各々について順に行い、
前記第１の無音部分の期間である第１の無音期間と次の第１の無音期間との間の第１の時間間隔と、連続する複数の前記第１の無音期間からなる第１の無音継続期間と、前記第２の無音部分の期間である第２の無音期間と次の第２の無音期間との間の第２の時間間隔と、連続する複数の前記第２の無音期間からなる第２の無音継続期間とから、前記音声類似度を示す値を求める
ことを特徴とする請求項１０に記載の選局方法。
【請求項１６】
前記音声類似度を示す値を順次生成するステップにおいては、
前記第１の一時記憶部に格納された前記第１の音声スペクトル情報のうち格納された時間に相当する時間的な格納位置が中央にある第１の音声スペクトル情報を評価対象の音声スペクトル情報とし、該評価対象の音声スペクトル情報と音声類似度の高い音声スペクトル情報を前記第２の一時記憶部から検出する処理を行い、音声類似度が所定の閾値よりも高い音声スペクトル情報が検出できた場合に、
該検出した音声スペクトル情報の時間的な格納位置が、前記評価対象の音声スペクトル情報の時間的な格納位置よりも時間的に早い位置の場合には、前記評価対象の音声スペクトル情報の時間的な格納位置よりも時間的に後の格納位置の音声スペクトル情報を次の新たな評価対象の音声スペクトル情報として類似音声検出処理を行い、
該検出した音声スペクトル情報の時間的な格納位置が、前記評価対象の音声スペクトル情報の時間的な格納位置よりも時間的に遅い位置の場合には、前記評価対象の音声スペクトル情報の時間的な格納位置よりも時間的に前の格納位置の音声スペクトル情報を次の新たな評価対象の音声スペクトル情報として類似音声検出処理を行い、
前記複数回の類似音声検出処理のいずれにおいても、音声類似度を示す値が所定の前記閾値より高い音声スペクトル情報が検出できた場合に、同一番組を実施している放送サービスであると判定して前記サービスリスト格納部に記録する
ことを特徴とする請求項１０に記載の選局方法。
【請求項１７】
前記第１の音声スペクトル情報を抽出する処理及び前記第２の音声スペクトル情報を抽出する処理は、前記符号化ストリーム中のＭＤＣＴ係数を前記第１の音声スペクトル情報又は前記第２の音声スペクトル情報として、前記第１の一時記憶部又は前記第２の一時記憶部にそれぞれ格納する処理であることを特徴とする請求項１０に記載の選局方法。
【手続補正２】
【補正対象書類名】明細書
【補正対象項目名】００４６
【補正方法】変更
【補正の内容】
【００４６】
次に、ステップＳ１１５において、音声類似度検出処理部１３１は、第１ループの先頭に戻り、ステップＳ１１１において、ｉの値を１インクリメントし（すなわち、ｉ＝１とし）、第１の一時記憶部１１５から次の１番目の第１の音声スペクトル情報Ａ１（ｆ）を取り出す。そして、音声類似度検出処理部１３１は、ステップＳ１１２からステップＳ１１４の第２ループの処理により、音声類似度値Ｒ１，１，…，Ｒ１，ｊ，…，Ｒ１，Ｎを得る。このように、音声類似度検出処理部１３１が行う第１ループは、第１の一時記憶部１１５内の第１の音声スペクトル情報Ａｉ（ｆ）の全てと、第２の一時記憶部１２５内の第２の音声スペクトル情報Ｂｊ（ｆ）の全てとの間の音声類似度を順に求める。第１ループの全処理が完了すると、音声類似度検出処理部１３１は、図６（ｃ）に示す音声類似度値Ｒ０，０からＲＭ，Ｎまでの音声類似度値を得る。音声類似度検出処理部１３１は、ステップＳ１１６で、音声類似度値Ｒ０，０からＲＭ，Ｎまでの合計値である音声類似度合計値Ｒを求める。音声類似度合計値Ｒは、ある時間内に第１の一時記憶部１１５に格納された視聴中の番組の音声スペクトル情報と同じある時間内に第２の一時記憶部１２５に第２の放送受信系統１２０が行う裏スキャン処理で選局されたある放送サービスの番組音声スペクトル情報との音声類似度を表す値となっている。もしもこれらの番組が同一番組であれば、音声類似度合計値Ｒは、著しく大きな値となる。通常、これらの番組の間には、数秒の時間差があるが、第１の一時記憶部１１５と第２の一時記憶部１２５の各々は、数秒分の第１の音声スペクトル情報を格納できるサイズとなっているため、図４における第１ループ（ステップＳ１１１からＳ１１５）及び第２ループ（ステップＳ１１２からＳ１１４）の処理を行うことで、同一音声シーンが検出でき、この場合も音声類似度合計値Ｒは、著しく大きな値となる。音声類似度検出処理部１３１は、このようにして求めた音声類似度合計値Ｒを、サービスリスト格納部１３２に第２の放送受信系統１２０で受信中の放送サービスに関連付けて格納する（ステップＳ１１７）。
【手続補正３】
【補正対象書類名】明細書
【補正対象項目名】００５１
【補正方法】変更
【補正の内容】
【００５１】
図５（ａ）から（ｄ）は、このように第２の一時記憶部１２５に格納された全ての第２の音声スペクトル情報とのステップＳ１１３の積和演算を行っていく様子を示している。図５（ａ）から（ｄ）の左から２番目の列に示されるように、第１の音声スペクトル情報Ａｉ（ｆ）と第２の音声スペクトル情報Ｂ１（ｆ）とが完全に一致した場合には、図５（ｄ）に示される値（実施の形態１における音声類似度値）が最も大きくなり、両音声スペクトルの類似度が最も高くなる。一方、同一番組でない場合は、図５（ｄ）に示される値（実施の形態１における音声類似度値）は、小さな値になり、両音声スペクトルの類似度が低くなる。第２の一時記憶部１２５内に視聴中の番組のあるシーンと同一のシーンが存在する場合は、このように図５（ｄ）の値が顕著に大きな値となる。以上に説明したように、ステップＳ１１３の演算により同一番組であると判定された番組を検出することができる。
【手続補正４】
【補正対象書類名】明細書
【補正対象項目名】００７２
【補正方法】変更
【補正の内容】
【００７２】
ステップＳ３１３における式（４）の演算について説明する。ある周波数ｆについて第１の一時記憶部１１５に格納されたｉ番目の第１の音声スペクトル情報Ａｉ（ｆ）と第２の一時記憶部１２５に格納されたｊ番目の第２の音声スペクトル情報Ｂｊ（ｆ）の差の絶対値を演算し、この演算を、全周波数成分（図１４（ａ）から（ｄ）においては、８個の周波数成分）に対して行い、その合計があるｉ及びｊに対する音声類似度値Ｒｉ，ｊとなる。なお、同一番組であったとしても、音声レベルが異なる場合や、異なる音声エンコード方式で放送されている場合には、音声スペクトル情報の絶対値が異なる場合が考えられる。そのような場合を想定し、第１の音声スペクトル情報Ａｉ（ｆ）及び第２の音声スペクトル情報Ｂｊ（ｆ）に、それぞれの各周波数における音声スペクトル情報を合計した全電力値で割ることによって得られた正規化した音声スペクトル情報を用いるようにしてもよい。
【手続補正５】
【補正対象書類名】明細書
【補正対象項目名】００７５
【補正方法】変更
【補正の内容】
【００７５】
図１４（ａ）から（ｄ）は、このように第２の一時記憶部１２５に格納された全ての第２の音声スペクトル情報Ｂｊ（ｆ）とのステップＳ３１３の演算を行う処理を示している。図１４（ａ）から（ｄ）における左から２番目の列においては、第１の音声スペクトル情報Ａｉ（ｆ）と第２の音声スペクトル情報Ｂ１（ｆ）とが完全に一致した場合であるが、この場合、図１４（ｄ）の値がほぼ０になり、最も小さくなる。一方、第１の音声スペクトル情報Ａｉ（ｆ）と第２の音声スペクトル情報Ｂ１（ｆ）とが同一番組のものではない場合は、図１４（ｄ）の結果は、大きな値になる。第２の一時記憶部１２５に視聴中の番組のあるシーンと同一のシーンが存在する場合は、このように図１４（ｄ）の値が顕著に小さな値となる。以上に説明したように、ステップＳ３１３の演算により同一番組の検出を行うことができる。
【手続補正６】
【補正対象書類名】明細書
【補正対象項目名】００７７
【補正方法】変更
【補正の内容】
【００７７】
さらに、実施の形態３によれば、実施の形態１の場合とは異なり、同一番組においては、番組間の遅延差が小さい場合は、遅延差が大きい場合に比べて音声類似度合計値Ｒがより小さくなる傾向がある。従って、第１の選局制御部１１３が同一番組として選局するチャンネル（選局先）を選択する際に、音声類似度合計値Ｒの小さな値を選択することで、より遅延の少ない番組に自動的に切換えることができ、視聴者が持つ違和感を小さくすることができる効果がある。この音声類似度合計値Ｒは、音声類似度を示す値Ｅ３の一例である。
【手続補正７】
【補正対象書類名】明細書
【補正対象項目名】００８０
【補正方法】変更
【補正の内容】
【００８０】
図１６は、実施の形態４に係るデジタル放送受信装置４００の音声類似度検出処理部４３１の動作を概略的に示すフローチャートである。実施の形態１から３においては、音声類似度検出処理部１３１，２３１，３３１における音声類似度検出処理において、第１の音声スペクトル情報と第２の音声スペクトル情報との間の音声類似度値Ｒｉ，ｊを、図４のステップＳ１１３及び図１３のステップＳ３１３に示されるように、各周波数ｆの音声スペクトル情報の音声類似度値Ｒｉ，ｊを全周波数分（図５（ａ）から（ｄ）及び図１４（ａ）から（ｄ）においては、８個の周波数についての音声類似度値）を合計することにより求めた。しかし、音声類似度値Ｒｉ，ｊを無音部分の発生間隔及び無音期間の特徴検出から求めてもよい。実施の形態４に係るデジタル放送受信装置４００は、音声類似度検出処理部４３１における音声類似度検出処理が、図１６に示されるように、無音部分の特徴検出による音声類似度検出処理を行う点が、実施の形態１から３に係るデジタル放送受信装置１００，２００，３００と異なる。
例えば、音声類似度検出処理部４３１は、第１の一時記憶部１１５に格納された第１の音声スペクトル情報のうちｉ番目（ｉは０以上の整数）の第１の音声スペクトル情報部分を取り出し、ｉ番目の第１の音声スペクトル情報部分Ａｉ（ｆ）の各周波数成分を全周波数分合計した電力値を求め、この電力値が、ある無音閾値よりも小さい場合に、取り出された第１の音声スペクトル情報部分を第１の無音部分と判定する処理を、第１の音声スペクトル情報部分の各々について順に行う。また、音声類似度検出処理部４３１は、第２の一時記憶部１２５に格納された第２の音声スペクトル情報のうちｊ番目（ｊは０以上の整数）の第２の音声スペクトル情報部分を取り出し、ｊ番目の第２の音声スペクトル情報部分Ｂｊ（ｆ）の各周波数成分を全周波数分合計した電力値を求め、この電力値が、ある無音閾値よりも小さい場合に、取り出された第２の音声スペクトル情報部分を第２の無音部分と判定する処理を、第２の音声スペクトル情報部分の各々について順に行う。そして、音声類似度検出処理部４３１は、第１の無音部分の期間である第１の無音期間と次の第１の無音期間との間の第１の時間間隔と、連続する複数の第１の無音期間からなる第１の無音継続期間と、第２の無音部分の期間である第２の無音期間と次の第２の無音期間との間の第２の時間間隔と、連続する複数の第２の無音期間からなる第２の無音継続期間とから、音声類似度を示す値を求める。
【手続補正８】
【補正対象書類名】明細書
【補正対象項目名】００８８
【補正方法】変更
【補正の内容】
【００８８】
実施の形態１から４においては、音声類似度検出処理部１３１，２３１，３３１，４３１における音声類似度検出処理について、第１の一時記憶部１１５及び第２の一時記憶部１２５の中を、例えば、古い音声スペクトル情報から順に検索し音声類似度の高いものを後に検出していた。しかし、第２の放送受信系統が行う裏スキャン処理における数秒間の選局時に同一番組であるか否かを判定可能にするためには、処理時間を短くすることが望ましい。そのため、実施の形態５に係るデジタル放送受信装置５００においては、第１の一時記憶部１１５内の第１の音声スペクトル情報の全てについて、第２の一時記憶部１２５内の第２の音声スペクトル情報の全てを検索するという手法を採用せずに、まず、第１の一時記憶部１１５内の第１の音声スペクトル情報の内の格納された順番が中央（概ね中央付近）の第１の音声スペクトル情報について第２の一時記憶部１２５内の第２の音声スペクトル情報を検索する。そして、閾値よりも大きい音声類似度値を持つ音声スペクトル情報が検出できた時点で検索を中断する。検出した音声スペクトル情報について、第２の一時記憶部１２５内における格納順と、第１の一時記憶部１１５内における格納順との相対位置の関係に応じて、次に、音声類似度評価に使用する第１の一時記憶部１１５内の第１の音声スペクトル情報の取り出し位置を決定し、２回目の音声類似度評価を行う。このようにして、３回目の音声類似度評価の実行完了時に、３回とも音声類似度値が閾値を超えた場合、第２の放送受信系統５２０における選局中の放送サービスを第１の放送受信系統５１０で視聴中の放送サービスと同一番組を実施している放送サービスとして、サービスリスト格納部５３２にサービスリストの一部として格納する。
【手続補正９】
【補正対象書類名】明細書
【補正対象項目名】００８９
【補正方法】変更
【補正の内容】
【００８９】
図１８は、実施の形態５に係るデジタル放送受信装置５００の音声類似度検出処理部５３１における第１の音声スペクトル情報と第２の音声スペクトル情報との間の音声類似度検出動作（第２の音声スペクトル情報が第１の音声スペクトル情報よりも時間的に早い時刻に格納された場合の動作）を説明するための図である。図１９は、実施の形態５に係るデジタル放送受信装置５００の音声類似度検出処理部５３１における第１の音声スペクトル情報と第２の音声スペクトル情報との間の音声類似度検出動作（第２の音声スペクトル情報が第１の音声スペクトル情報よりも時間的に遅い時刻に格納された場合の動作）を説明するための図である。図２０は、実施の形態５に係るデジタル放送受信装置５００の音声類似度検出処理部５３１の動作を概略的に示すフローチャートである。ここでは、第１の一時記憶部１１５及び第２の一時記憶部１２５に格納された各音声スペクトル情報のデータ数が４Ｎ個（Ｎは正の整数）である場合を説明する。図１８には、第１の一時記憶部１１５に格納された音声スペクトル情報と第２の一時記憶部１２５に格納された音声スペクトル情報が、同一番組の音声スペクトル情報が格納されている場合を図示している。図１８に示されるように、２つの番組間には、遅延差があり第２の一時記憶部１２５の音声スペクトル情報のほうが時間的に早く送出されたため、格納時刻に一定の遅延差（番組間遅延差）が生じている。また、図１９には、第１の一時記憶部１１５に格納された音声スペクトル情報と第２の一時記憶部１２５に格納された音声スペクトル情報が、同一番組の音声スペクトル情報が格納されている場合を図示している。図１９に示されるように、２つの番組間には、遅延差があり第２の一時記憶部１２５の音声スペクトル情報のほうが時間的に遅く送出されたため、格納時刻に一定の遅延差（番組間遅延差）が生じている。
【手続補正１０】
【補正対象書類名】明細書
【補正対象項目名】００９１
【補正方法】変更
【補正の内容】
【００９１】
ステップＳ５１５は、ステップＳ５１４で計算した音声類似度値Ｒｉ，ｊが予め決められた閾値より大きいかどうかを判定し、この閾値より小さければ、処理はステップＳ５１６でループの先頭に戻り、ステップＳ５１３で、第２の一時記憶部１２５から次の第２の音声スペクトル情報を取り出し、音声類似度判定が繰り返される。ステップＳ５１５において音声類似度値Ｒｉ，ｊが閾値より大きかった場合、処理はステップＳ５１７に進む。この状態は、図１８及び図１９のＰ５１に示されている。すなわち、音声類似度検出処理部５３１が、図１８及び図１９の第１の一時記憶部１１５内の音声スペクトル情報のうち２Ｎ番目の音声スペクトル情報について、第２の一時記憶部１２５を検索した結果、図１８及び図１９に記載のＦ番目（Ｆは、正の整数）の音声スペクトル情報との音声類似度値Ｒｉ，ｊ（音声類似度値Ｒ２Ｎ，Ｆ）が予め決められた閾値よりも高かったことを示している（図１８及び図１９におけるＰ５２）。この場合、検出した音声スペクトル情報は、第１の一時記憶部１１５から取り出した格納位置（ｉ＝２Ｎ）よりも時間的に早い時刻に格納された格納位置（ｊ＝Ｆ）である（すなわち、ｉ＞ｊ）。この場合、図２０のステップＳ５１７において、判定はＹＥＳとなり、ステップＳ５１８でｉ＝ｉ＋Ｎ＝３Ｎとなり、処理はステップＳ５１２に戻り、次の音声類似度演算のために新たに第１の一時記憶部１１５からｉ（＝３Ｎ）番目の第１の音声スペクトル情報Ａｉ（ｆ）を取り出す（図１８におけるＰ５４）。そして、音声類似度検出処理部５３１は、ステップＳ５１３からＳ５１５における音声類似度評価を実施する。ステップＳ５１５で閾値を超える音声類似度値Ｒｉ，ｊとなった場合（図１８のＰ５５）、処理はステップＳ５１７に進む。ステップＳ５１７においてｉ＝３Ｎ、ｊ＝Ｆ＋Ｎであるので、ｉ＞ｊの判定がＹＥＳとなり、ステップＳ５１８においてｉ＝ｉ＋Ｎ＝４Ｎとなり、処理はステップＳ５１２に戻り、次の音声類似度演算のために新たに第１の一時記憶部１１５からｉ（＝４Ｎ）番目の第１の音声スペクトル情報Ａｉ（ｆ）を取り出す（図１８におけるＰ５６）。以降同様に、音声類似度検出処理部５３１は、音声類似度演算を行なう。図１８にＰ５７で示すＦ＋２Ｎ番目の音声スペクトル情報は、音声類似度が閾値を超えたことを示している（ステップＳ５１５）。ステップＳ５１５で判定がＹＥＳとなり、ステップＳ５１７で判定がＹＥＳとなり、ステップＳ５１８でｉ＝５Ｎとなるので、ステップＳ５２０で判定がＹＥＳとなり、ステップＳ５２１でサービスリスト格納部５３２に、視聴中の放送サービスと第２の放送受信系統５２０における裏スキャン処理選局中の放送サービスが互いに同一番組実施放送サービスであることを記録する（図１８におけるＰ５８）。
【手続補正１１】
【補正対象書類名】明細書
【補正対象項目名】００９２
【補正方法】変更
【補正の内容】
【００９２】
図１９に示されるように、第２の一時記憶部１２５に格納された音声スペクトル情報が第１の一時記憶部１１５に格納された音声スペクトル情報よりも時間的に遅く送出された場合は、図２０のステップ５１７の判定がＮＯとなりステップＳ５１９により図１９のＰ５１，Ｐ５４，Ｐ５６で示されるように、第１の一時記憶部１１５から評価対象の音声スペクトル情報として２Ｎ番目（図１９のＰ５１）、Ｎ番目（図１９のＰ５４）、０番目（図１９のＰ５６）の順に３つの評価データで音声類似度の評価を行う。そして、いずれの音声類似度も閾値を超えた場合（ステップＳ５１５）、ステップＳ５２１でサービスリスト格納部５３２に、視聴中の放送サービスと第２の放送受信系統５２０における裏スキャン処理選局中の放送サービスが互いに同一番組実施放送サービスとして記録する（図１９のＰ５８）。
【手続補正１２】
【補正対象書類名】図面
【補正対象項目名】図４
【補正方法】変更
【補正の内容】
【図４】
2015056507.tif 000027
【手続補正１３】
【補正対象書類名】図面
【補正対象項目名】図１４
【補正方法】変更
【補正の内容】
【図１４】
2015056507.tif 000028
【手続補正１４】
【補正対象書類名】図面
【補正対象項目名】図１９
【補正方法】変更
【補正の内容】
【図１９】
2015056507.tif 000029
【国際調査報告】
2015056507.tif 000030
2015056507.tif 000031
2015056507.tif 000032
2015056507.tif 000033